(57)【特許請求の範囲】
【請求項１】
少なくともインクを含む画像形成液体を用いて媒体に画像を形成する画像形成部と、
媒体に張力を付与する張力付与部と、
前記張力付与部を用いて張力が付与された媒体と前記画像形成部とを相対的に搬送させる搬送部と、
画像データを取得する画像データ取得部と、
前記画像データ取得部を用いて取得された画像データに基づいて算出された前記画像形成液体の付与量の情報である画像形成液体付与量情報を取得する画像形成液体付与量情報取得部と、
前記張力付与部を用いて媒体へ付与される張力の情報である張力情報を取得する張力情報取得部と、
画像形成液体が付与された媒体の弾性係数であり、前記画像形成液体付与量情報取得部を用いて取得された前記画像形成液体付与量情報を用いて算出された媒体の弾性係数を取得する弾性係数取得部と、
前記張力情報取得部を用いて取得された前記張力情報、及び前記弾性係数取得部を用いて取得された前記媒体の弾性係数を用いて、前記張力付与部を用いて張力が付与された状態と前記張力が非付与の状態との媒体の変形量を算出する媒体変形量算出部と、
前記媒体変形量算出部を用いて算出された媒体の変形量に基づき、前記画像データ取得部を用いて取得された画像データを、前記張力付与部を用いて張力が付与された状態の媒体に形成される変換後画像を表す変換後画像データへ変換する画像変換部と、
張力付与部を用いて張力が付与され、且つ、前記搬送部を用いて前記画像形成部と相対的に搬送される媒体に対して、前記変換後画像データに基づいて前記画像形成部を用いた画像形成を制御する画像形成制御部と、
を備えた画像形成装置。
【請求項２】
前記弾性係数取得部は、前記画像形成液体付与量情報取得部を用いて取得された画像形成液体の付与量に対応するヤング率を用いて算出された前記弾性係数を取得する請求項１に記載の画像形成装置。
【請求項３】
前記媒体に付与される前記画像形成液体の付与量ごとのヤング率を記憶するヤング率記憶部を備えた請求項２に記載の画像形成装置。
【請求項４】
前記媒体として布帛を供給する媒体供給部を備え、
前記弾性係数取得部は、前記布帛に付与される張力の方向と平行となる方向に沿う糸の種類に基づく前記布帛のヤング率を用いて算出された前記弾性係数を取得する請求項２又は３に記載の画像形成装置。
【請求項５】
前記弾性係数取得部は、前記画像データが複数の部分領域に分割された際の前記部分領域ごとの弾性係数を取得し、
前記媒体変形量算出部は、前記弾性係数取得部を用いて取得された前記部分領域ごとの弾性係数を用いて前記部分領域ごとに変形量を算出し、
前記画像変換部は、前記媒体変形量算出部を用いて算出された前記部分領域ごとの変形量を用いて、前記画像データ取得部を用いて取得された画像データを前記部分領域ごとに変換する請求項１から４のいずれか一項に記載の画像形成装置。
【請求項６】
前記弾性係数取得部は、前記部分領域ごとの画像形成液体の付与量に基づいて、前記部分領域ごとの弾性係数を取得する請求項５に記載の画像形成装置。
【請求項７】
前記弾性係数取得部は、前記部分領域ごとのヤング率に基づいて、前記部分領域ごとの弾性係数を取得する請求項５に記載の画像形成装置。
【請求項８】
前記画像変換部は、前記画像データ取得部を用いて取得した画像データにおける前記部分領域に設定された計算節点ごとに、前記部分領域ごとの変形量の大きさ、及び前記部分領域ごとの変形の向きを表す変形ベクトルを適用して、前記画像データが表す画像を変形させた変形画像を表す変形画像データを生成する請求項５に記載の画像形成装置。
【請求項９】
前記画像変換部は、前記画像データ取得部を用いて取得された画像データが表す画像を媒体の変形量に対応して変形させた変形画像を表す変形画像データを生成し、且つ、前記変形画像を構成する変形画素であり、前記画像データを構成する最小単位である画素を変形させた変形画素に対して、前記画像データの画素を適用して、前記変換後画像を表す変換後画像データを生成する請求項１から８のいずれか一項に記載の画像形成装置。
【請求項１０】
前記画像変換部は、前記変換後画像における各画素の色情報に、前記変形画像における前記変形画素の複数の画素分の色情報が含まれる場合、前記変形画素の複数の画素分の色情報が平均化された色情報を、前記変換後画像における各画素の色情報とする請求項９に記載の画像形成装置。
【請求項１１】
前記画像変換部は、前記変換後画像における各画素の色情報に、前記変形画像における前記変形画素の複数の画素分の色情報が含まれる場合、前記変形画素の複数の画素のうち、前記変換後画像の各画素における面積比率が大きい画素の色情報を、前記変換後画像における各画素の色情報とする請求項９に記載の画像形成装置。
【請求項１２】
前記張力付与部は、前記搬送部を用いて搬送される媒体を支持する媒体支持ローラであり、前記搬送部における媒体の相対搬送方向と直交する方向である媒体幅方向について、前記媒体の全長以上の長さを有する媒体支持ローラを用いて、媒体へ張力を付与し、
前記張力情報取得部は、前記媒体支持ローラの前記媒体幅方向の両端に取り付けられた張力検出部を用いて、前記媒体の前記媒体幅方向の両端に付与される張力の情報を取得する請求項１から１１のいずれか一項に記載の画像形成装置。
【請求項１３】
前記画像形成部は、媒体へインクを吐出させるインクジェットヘッドを備えた請求項１から１２のいずれか一項に記載の画像形成装置。
【請求項１４】
前記画像形成部を基準とする前記媒体の相対搬送方向の下流側の位置に配置される乾燥処理部であり、前記インクジェットヘッドを用いてインクが付与された媒体に乾燥処理を施す乾燥処理部を備えた請求項１３に記載の画像形成装置。
【請求項１５】
インクを凝集させる処理液、又は不溶化させる処理液を前記媒体に付与する処理液付与部であり、前記画像形成部を基準とする前記媒体の相対搬送方向の上流側の位置に配置される処理液付与部を備え、
前記画像形成液体付与量情報取得部は、前記処理液付与部を用いて媒体に付与される処理液量、及び前記インクジェットヘッドから吐出させるインク量の情報を前記画像形成液体の付与量の情報として取得する請求項１３又は１４に記載の画像形成装置。
【請求項１６】
前記画像形成制御部は、前記変換後画像データの画素に対応する前記媒体の位置に、前記画像形成部を用いてドットを形成する請求項１から１５のいずれか一項に記載の画像形成装置。
【請求項１７】
張力が付与された媒体と媒体に画像を形成する画像形成部とを相対的に搬送させ、少なくともインクを含む画像形成液体を用いて媒体に画像を形成する画像形成方法であって、
画像データを取得する画像データ取得工程と、
前記画像データ取得工程において取得された画像データに基づいて算出された前記画像形成液体の付与量の情報である画像形成液体付与量情報を取得する画像形成液体付与量情報取得工程と、
媒体へ付与される張力の情報である張力情報を取得する張力情報取得工程と、
画像形成液体が付与された媒体の弾性係数であり、前記画像形成液体付与量情報取得工程において取得された前記画像形成液体付与量情報を用いて算出された媒体の弾性係数を取得する弾性係数取得工程と、
前記張力情報取得工程において取得された前記張力情報、及び前記弾性係数取得工程において取得された前記媒体の弾性係数を用いて、張力が付与された状態と前記張力が非付与の状態との媒体の変形量を算出する媒体変形量算出工程と、
前記媒体変形量算出工程において算出された媒体の変形量に基づき、前記画像データ取得工程において取得された画像データを、張力が付与された状態の媒体に形成される変換後画像を表す変換後画像データへ変換する画像変換工程と、
張力が付与され、且つ、前記画像形成部と相対的に搬送される媒体に対して、前記変換後画像データに基づいて画像を形成する画像形成工程と、
を含む画像形成方法。
【発明の詳細な説明】
【技術分野】
【０００１】
本発明は画像形成装置、及び画像形成方法に係り、特に張力の付与に起因して変形が生じる媒体への画像形成技術に関する。
【背景技術】
【０００２】
紙、又はフィルムなどの媒体に画像を形成する画像形成装置として、インクジェット記録装置が知られている。インクジェット記録装置は布帛などの張力が付与された際に変形が生じる媒体に対して画像を形成する用途にも使用されている。【０００３】
張力が付与された際に変形が生じる媒体に対して、媒体に張力が付与された状態において画像が形成されると、画像形成の後に張力が非付与とされた際に、形成された画像が予定されていた画像と異なってしまうという問題が発生する。【０００４】
特許文献１は、変形させた状態で支持された媒体に対して画像を形成する画像形成装置が記載されている。特許文献１に記載の画像形成装置は、変形させた状態で支持された媒体に対して、媒体自体の伸縮率に応じて拡縮させた拡縮印刷画像データに基づきインクを吐出させ、媒体の使用の際に所望のサイズとなる画像を媒体に形成する。【０００５】
なお、本明細書における画像形成装置の用語は、特許文献１における印刷装置の用語に対応している。また、本明細書における媒体の用語は、特許文献１における印刷媒体の用語に対応している。【０００６】
特許文献２は、張力が付与された際に変形が生じる媒体に画像を形成する画像形成装置が記載されている。特許文献２に記載の画像形成装置は、媒体自体の変形に応じて画像データが補正され、補正された画像データに基づいて画像を媒体に形成する。【０００７】
なお、本明細書における画像形成装置の用語は、特許文献２における印刷装置の用語に対応している。また、本明細書における媒体の用語は、特許文献２における布帛、又は記録媒体の用語に対応している。更に、本明細書における媒体の変形の用語は、特許文献２における媒体に歪みの用語に対応している。【０００８】
非特許文献１は、グラビア輪転印刷機において、媒体に加えられる張力と媒体の変形量との関係が記載されている。具体的には、製品印刷ピッチに対する媒体の変形量、媒体に加えられる張力、媒体の断面積、及び媒体のヤング率との関係は、製品印刷ピッチに対する媒体の変形量＝媒体に加えられる張力×製品印刷ピッチ／（媒体の断面積×媒体のヤング率）と表されることが記載されている。【０００９】
なお、製品印刷ピッチの単位、及び製品印刷ピッチに対する媒体の変形量の単位はミリメートルである。媒体に加えられる張力の単位はニュートンである。媒体の断面積の単位は平方ミリメートルである。媒体のヤング率の単位はニュートン毎ミリメートルである。また、本明細書における媒体の変形量の用語は、非特許文献１における媒体の伸び量の用語に対応している。
【先行技術文献】
【特許文献】
【００１０】
【特許文献１】特開２００４−２９１４６１号公報
【特許文献２】特開平１１−３００９４８号公報
【非特許文献】
【００１１】
【非特許文献１】月刊コンバーテック、株式会社加工技術研究会、２００４年１月号、弓矢  泰、「特集、グラビア印刷と環境対策」、「グラビア輪転印刷機における見当精度の考察」
【発明の概要】
【発明が解決しようとする課題】
【００１２】
媒体に一定の張力が付与された際の媒体の変形量は、媒体に付与されたインクの量に応じて変化する。しかしながら、特許文献１に記載の画像形成装置では、媒体自体の伸縮率に応じて画像データを拡縮させて拡縮印刷画像データが生成されている。そうすると、インクが付与された際に媒体の変形量が変化すると、媒体の使用の際に所望のサイズとなる画像を媒体に形成することが困難である。【００１３】
特許文献２に記載の画像形成装置では、媒体自体の変形量に応じて画像データが補正されている。そうすると、インクが付与された際に媒体の変形量が変化すると、画像データに対して適切な補正を行うことが困難である。【００１４】
非特許文献１の記載に基づき、媒体自体の変形量を推定することができるものの、非特許文献１にはインクが付与された媒体の変形量に関する記載はない。また、非特許文献１には画像形成の際に媒体の変形量がどのように用いられるかについての具体的な記載はない。【００１５】
本明細書では、インクジェット記録装置が用いられて、張力が付与された際に変形が生じる媒体として布帛が挙げられているが、張力が付与された際に変形が生じる媒体が用いられる画像形成であり、媒体の変形に起因する画像の変形が問題となる画像形成であれば、布帛以外の媒体が用いられる画像形成についても同様の課題が存在している。【００１６】
本発明はこのような事情に鑑みてなされたもので、張力が付与された媒体への画像形成において、媒体の変形に起因する画像の変形が抑制される画像形成装置、及び画像形成方法を提供することを目的とする。
【課題を解決するための手段】
【００１７】
上記目的を達成するために、次の発明態様を提供する。【００１８】
第１態様の画像形成装置は、少なくともインクを含む画像形成液体を用いて媒体に画像を形成する画像形成部と、媒体に張力を付与する張力付与部と、張力付与部を用いて張力が付与された媒体と画像形成部とを相対的に搬送させる搬送部と、画像データを取得する画像データ取得部と、画像データ取得部を用いて取得された画像データに基づいて算出された画像形成液体の付与量の情報である画像形成液体付与量情報を取得する画像形成液体付与量情報取得部と、張力付与部を用いて媒体へ付与される張力の情報である張力情報を取得する張力情報取得部と、画像形成液体が付与された媒体の弾性係数であり、画像形成液体付与量情報取得部を用いて取得された画像形成液体付与量情報を用いて算出された媒体の弾性係数を取得する弾性係数取得部と、張力情報取得部を用いて取得された張力情報、及び弾性係数取得部を用いて取得された媒体の弾性係数を用いて、張力付与部を用いて張力が付与された状態と張力が非付与の状態との媒体の変形量を算出する媒体変形量算出部と、媒体変形量算出部を用いて算出された媒体の変形量に基づき、画像データ取得部を用いて取得された画像データを、張力付与部を用いて張力が付与された状態の媒体に形成される変換後画像を表す変換後画像データへ変換する画像変換部と、張力付与部を用いて張力が付与され、且つ、搬送部を用いて画像形成部と相対的に搬送される媒体に対して、変換後画像データに基づいて画像形成部を用いた画像形成を制御する画像形成制御部と、を備えた画像形成装置である。【００１９】
第１態様によれば、張力の付与に起因して変形した媒体に対して、画像形成液体の付与量に応じた媒体の変形量が考慮された画像が形成される。【００２０】
画像形成体は、画像を構成する画素を形成する液体であり、少なくともインクが含まれる。インクの例として、シアンインク、マゼンタインク、イエローインク、及びブラックインクが挙げられる。【００２１】
第２態様は、第１態様の画像形成装置において、弾性係数取得部は、画像形成液体付与量情報取得部を用いて取得された画像形成液体の付与量に対応するヤング率を用いて算出された弾性係数を取得する構成としてもよい。【００２２】
第２態様によれば、画像形成液体の付与量に対応するヤング率に基づく媒体の弾性係数の取得が可能である。【００２３】
第３態様は、第２態様の画像形成装置において、媒体に付与される画像形成液体の付与量ごとのヤング率を記憶するヤング率記憶部を備えた構成としてもよい。【００２４】
第３態様によれば、画像形成液体の付与量ごとの媒体のヤング率の取得が可能である。【００２５】
ヤング率記憶部は、媒体の種類ごとのヤング率が記憶されていてもよい。ヤング率記憶部は、画像形成液体の種類ごとのヤング率が記憶されていてもよい。【００２６】
第４態様は、第２態様又は第３態様の画像形成装置において、媒体として布帛を供給する媒体供給部を備え、弾性係数取得部は、布帛に付与される張力の方向と平行となる方向に沿う糸の種類に基づく布帛のヤング率を用いて算出された弾性係数を取得する構成としてもよい。【００２７】
第４態様によれば、布帛の姿勢と布帛に付与される張力との関係が考慮された、媒体のヤング率の取得が可能である。【００２８】
第５態様は、第１態様から第４態様のいずれか一態様の画像形成装置において、弾性係数取得部は、画像データが複数の部分領域に分割された際の部分領域ごとの弾性係数を取得し、媒体変形量算出部は、弾性係数取得部を用いて取得された部分領域ごとの弾性係数を用いて部分領域ごとに変形量を算出し、画像変換部は、媒体変形量算出部を用いて算出された部分領域ごとの変形量を用いて、画像データ取得部を用いて取得された画像データを部分領域ごとに変換する構成としてもよい。【００２９】
第５態様によれば、媒体の変形が非線形の場合にも、部分領域ごとの変形量に基づく画像形成が可能である。【００３０】
部分領域は、一つ以上の画素が含まれる。部分領域は、隣接する複数の画素としてもよい。【００３１】
第６態様は、第５態様の画像形成装置において、弾性係数取得部は、部分領域ごとの画像形成液体の付与量に基づいて、部分領域ごとの弾性係数を取得する構成としてもよい。【００３２】
第６態様によれば、画像形成液体の付与量に応じた部分領域ごとの弾性係数の取得が可能である。また、部分領域ごとの画像形成液体の付与量に基づいて複数の部分領域を一つの部分領域として取り扱うことができ、演算対象の部分領域の数が減らされることに起因して演算の回数を減らすことが可能となる。【００３３】
第７態様は、第５態様の画像形成装置において、弾性係数取得部は、部分領域ごとのヤング率に基づいて、部分領域ごとの弾性係数を取得する構成としてもよい。【００３４】
第７態様によれば、部分領域ごとのヤング率に応じた部分領域ごとの弾性係数の取得が可能である。また、部分領域ごとのヤング率に基づいて複数の部分領域を一つの部分領域として取り扱うことができ、演算対象の部分領域の数が減らされることに起因して演算の回数を減らすことが可能となる。【００３５】
第８態様は、第５態様の画像形成装置において、画像変換部は、画像データ取得部を用いて取得した画像データにおける部分領域に設定された計算節点ごとに、部分領域ごとの変形量の大きさ、及び部分領域ごとの変形の向きを表す変形ベクトルを適用して、画像データが表す画像を変形させた変形画像を表す変形画像データを生成する構成としてもよい。【００３６】
第８態様によれば、部分領域ごとの計算節点について変形量が算出可能である。【００３７】
第９態様は、第１態様から第８態様のいずれか一態様の画像形成装置において、画像変換部は、画像データ取得部を用いて取得された画像データが表す画像を媒体の変形量に対応して変形させた変形画像を表す変形画像データを生成し、且つ、変形画像を構成する変形画素であり、画像データを構成する最小単位である画素を変形させた変形画素に対して、画像データの画素を適用して、変換後画像を表す変換後画像データを生成する構成としてもよい。【００３８】
第９態様によれば、媒体の変形量が反映された伸長画像を表す伸長画像データが用いられて、張力が付与された媒体へ形成される変換後画像を表す画像データが生成される。【００３９】
第１０態様は、第９態様の画像形成装置において、画像変換部は、変換後画像における各画素の色情報に、変形画像における変形画素の複数の画素分の色情報が含まれる場合、変形画素の複数の画素分の色情報が平均化された色情報を、変換後画像における各画素の色情報とする構成としてもよい。【００４０】
第１０態様によれば、変換後画像を構成する各画素について、変換後画像を構成する各画素に対応する伸長画像を構成する伸長画素の色情報が反映される。【００４１】
第１１態様は、第９態様の画像形成装置において、画像変換部は、変換後画像における各画素の色情報に、変形画像における変形画素の複数の画素分の色情報が含まれる場合、変形画素の複数の画素のうち、変換後画像の各画素における面積比率が大きい画素の色情報を、変換後画像における各画素の色情報とする構成としてもよい。【００４２】
第１１態様によれば、変換後画像を構成する各画素について、変換後画像を構成する各画素に対応する伸長画像を構成する伸長画素の色情報が反映される。【００４３】
第１２態様は、第１態様から第１１態様のいずれか一態様の画像形成装置において、張力付与部は、搬送部を用いて搬送される媒体を支持する媒体支持ローラであり、搬送部における媒体の相対搬送方向と直交する方向である媒体幅方向について、媒体の全長以上の長さを有する媒体支持ローラを用いて、媒体へ張力を付与し、張力情報取得部は、媒体支持ローラの媒体幅方向の両端に取り付けられた張力検出部を用いて、媒体の媒体幅方向の両端に付与される張力の情報を取得する構成としてもよい。【００４４】
第１２態様によれば、媒体の搬送状態が考慮された、媒体に付与される張力の情報の取得が可能である。【００４５】
第１３態様は、第１態様から第１２態様のいずれか一態様の画像形成装置において、画像形成部は、媒体へインクを吐出させるインクジェットヘッドを備えた構成としてもよい。【００４６】
第１３態様によれば、張力が付与された媒体への画像形成について、インクジェット方式の画像形成が適用可能である。【００４７】
第１４態様は、第１３態様の画像形成装置において、画像形成部を基準とする媒体の相対搬送方向の下流側の位置に配置される乾燥処理部であり、インクジェットヘッドを用いてインクが付与された媒体に乾燥処理を施す乾燥処理部を備えた構成としてもよい。【００４８】
第１４態様によれば、媒体に付与されたインクの定着が促進される。【００４９】
第１５態様は、第１３態様又は第１４態様の画像形成装置において、インクを凝集させる処理液、又は不溶化させる処理液を媒体に付与する処理液付与部であり、画像形成部を基準とする媒体の相対搬送方向の上流側の位置に配置される処理液付与部を備え、画像形成液体付与量情報取得部は、処理液付与部を用いて媒体に付与される処理液量、及びインクジェットヘッドから吐出させるインク量の情報を画像形成液体の付与量の情報として取得する構成としてもよい。【００５０】
第１５態様によれば、媒体に付与されたインクの滲みが抑制される。【００５１】
第１６態様は、第１態様から第１５態様のいずれか一態様の画像形成装置において、画像形成制御部は、変換後画像データの画素に対応する媒体の位置に、画像形成部を用いてドットを形成する構成としてもよい。【００５２】
第１６態様によれば、変換後画像データの画素に対応する媒体の位置に変換後画像データが表す画像を構成するドットが形成される。【００５３】
第１７態様の画像形成方法は、張力が付与された媒体と媒体に画像を形成する画像形成部とを相対的に搬送させ、少なくともインクを含む画像形成液体を用いて媒体に画像を形成する画像形成方法であって、画像データを取得する画像データ取得工程と、画像データ取得工程において取得された画像データに基づいて算出された画像形成液体の付与量の情報である画像形成液体付与量情報を取得する画像形成液体付与量情報取得工程と、媒体へ付与される張力の情報である張力情報を取得する張力情報取得工程と、画像形成液体が付与された媒体の弾性係数であり、画像形成液体付与量情報取得工程において取得された画像形成液体付与量情報を用いて算出された媒体の弾性係数を取得する弾性係数取得工程と、張力情報取得工程において取得された張力情報、及び弾性係数取得工程において取得された媒体の弾性係数を用いて、張力が付与された状態と張力が非付与の状態との媒体の変形量を算出する媒体変形量算出工程と、媒体変形量算出工程において算出された媒体の変形量に基づき、画像データ取得工程において取得された画像データを、張力が付与された状態の媒体に形成される変換後画像を表す変換後画像データへ変換する画像変換工程と、張力が付与され、且つ、画像形成部と相対的に搬送される媒体に対して、変換後画像データに基づいて画像を形成する画像形成工程と、を含む画像形成方法である。【００５４】
第１７態様によれば、第１態様と同様の効果を得ることができる。【００５５】
第１７態様において、第２態様から第１６態様で特定した事項と同様の事項を適宜組み合わせることができる。その場合、画像形成装置において特定される処理や機能を担う構成要素は、これに対応する処理や機能を担う短絡検出方法の構成要素として把握することができる。
【発明の効果】
【００５６】
本発明によれば、張力の付与に起因して変形した媒体に対して、画像形成液体の付与量に応じた媒体の変形量が考慮された画像が形成される。
【図面の簡単な説明】
【００５７】
【図１】図１は第一実施形態に係る画像形成装置の全体構成図である。
【図２】図２は図１に示された画像形成装置の制御系の概略構成が示されるブロック図である。
【図３】図３は図１に示された画像形成装置に適用される画像変換処理の模式図である。
【図４】図４は従来技術に係る画像形成装置において形成された画像が模式的に示された説明図である。
【図５】図５は布帛の弾性変形の説明図である。
【図６】図６は計算節点の説明図である。
【図７】図７はヤング率テーブルの説明図である。
【図８】図８はインクが付与された状態の布帛の断面図である。
【図９】図９はテンション検出部の構成例が示された説明図である。
【図１０】図１０はテンション検出の説明図である。
【図１１】図１１は変形ベクトルの算出の模式図である。
【図１２】図１２は変換後画像における画素の説明図である。
【図１３】図１３は画像変換処理の変形例の説明図である。
【図１４】図１４は第一実施形態に係る画像形成方法の流れが示されたフローチャートである。
【図１５】図１５は有限要素計算の説明図である。
【図１６】図１６はインクジェットヘッドの構造例が示された透視平面図である。
【図１７】図１７は第二実施形態に係る画像形成装置の全体構成図である。
【図１８】図１８は図１７に示された画像形成装置の制御系の概略構成が示されるブロック図である。
【図１９】図１９は第二実施形態に係る画像形成装置に適用されるヤング率テーブルの一例の説明図である。
【図２０】図２０は第二実施形態に係る画像形成装置に適用されるヤング率テーブルの他の例の説明図である。
【図２１】図２１は第二実施形態に係る画像形成方法の流れが示されたフローチャートである。
【発明を実施するための形態】
【００５８】
以下、添付図面に従って本発明の好ましい実施の形態について詳説する。本明細書では、既に説明された構成には同一の符号を付して、説明が適宜省略されることとする。
【００５９】
［第一実施形態］
＜画像形成装置の全体構成＞
図１は第一実施形態に係る画像形成装置の全体構成図である。図１に示されたインクジェット記録装置１０は、供給側ロール１２、搬送部１４、画像形成部１６、後処理部１８、及び巻取ロール２０を備えている。
【００６０】
本実施形態では、画像形成装置の一例として、インクジェット方式が用いられて画像が形成されるインクジェット記録装置が例示される。本明細書における画像形成は、染色が含まれている。本明細書における画像は、文字、数字、又は記号が含まれている。
【００６１】
供給側ロール１２は、芯２２に布帛２４が巻かれている。供給側ロール１２は図示されない支持部材が用いられて芯２２を回転軸として回転可能に支持されている。供給側ロール１２は媒体供給部の一態様である。
【００６２】
本明細書における布帛２４は、二本の糸が組み合わせられた織物、又はテキスタイルが含まれる。また、本明細書における布帛２４は、一本の糸が用いられ、結び目が形成され、平面形状、又は立体形状が形成される編物が含まれていてもよい。
【００６３】
搬送部１４は、搬送ローラ３０、複数のニップローラ対３２、及びテンションローラ３４が備えられている。搬送部１４は、供給側ロール１２から引き出された布帛２４を、画像形成部１６、及び後処理部１８を通過させ、巻取ロール２０へ搬送する。
【００６４】
搬送ローラ３０は円筒形状を有しており、図示されない支持部材が用いられて回転可能に支持されている。搬送ローラ３０の長手方向における全長は、布帛２４の幅方向の全長に対応している。搬送ローラ３０の長手方向は、搬送ローラ３０の軸方向と平行となる方向である。テンションローラ３４は媒体支持ローラの一態様である。
【００６５】
布帛２４の幅方向は、布帛２４の搬送方向と直交する方向である。以下、布帛２４の搬送方向は媒体搬送方向と記載されることがある。また、布帛２４の幅方向は、媒体幅方向と記載されることがある。図１における矢印線は、画像形成部１６における媒体搬送方向を表している。媒体搬送方向は相対搬送方向の一態様である。
【００６６】
ここで、本明細書における直交、又は垂直の用語は、９０度を超える角度で交差する場合、又は９０度未満の角度で交差する場合のうち、９０度で交差する場合と同一の作用効果を奏する実質的な直交、又は垂直が含まれる。
【００６７】
また、本明細書における平行の用語は、二方向が非平行であるものの、平行と同一の作用効果を奏する実質的な平行が含まれる。更に、本明細書における同一の用語は、相違があるものの、同一と同様の作用効果を得ることができる実質的な同一が含まれる。
【００６８】
搬送ローラ３０は、供給側ロール１２から引き出された布帛２４の裏面を支持する。布帛２４の裏面は、画像が形成される画像形成面の反対側の面である。搬送ローラ３０は、長手方向について複数のローラが並べられた構造を有していてもよい。
【００６９】
複数のニップローラ対３２は、媒体搬送方向における画像形成部１６の上流側、及び下流側に設けられている。図１には、媒体搬送方向における画像形成部１６の上流側、及び下流側のそれぞれに一つずつのニップローラ対３２が設けられている態様が図示されている。
【００７０】
テンションローラ３４は、搬送部１４が用いられて搬送される布帛２４に対して、媒体搬送方向の上流側から下流側へ向かう方向のテンションを付与する。また、テンションローラ３４は、布帛２４の裏面を支持する。更に、テンションローラ３４はテンション検出センサが取り付けられている。
【００７１】
なお、図１ではテンション検出センサの図示は省略される。テンション検出センサは、図９において符号７０Ａが付されて図示される。テンション検出センサの詳細は後述される。
【００７２】
搬送部１４は、媒体と画像形成部とを相対的に搬送させる搬送部の一態様である。媒体と画像形成部とを相対的に搬送させる態様として、固定された媒体に対して画像形成部を移動させる態様、並びに媒体、及び画像形成部の両者を搬送させる態様が挙げられる。
【００７３】
画像形成部１６は、インクジェットヘッド４０Ｃ、インクジェットヘッド４０Ｍ、インクジェットヘッド４０Ｙ、及びインクジェットヘッド４０Ｋが備えられている。画像形成部１６は、搬送部１４が用いられて搬送される布帛２４に対して、シアン、マゼンタ、イエロー、及びブラックの少なくともいずれか一色のインクを用いて画像を形成する。
【００７４】
インクジェットヘッド４０Ｃ、インクジェットヘッド４０Ｍ、インクジェットヘッド４０Ｙ、及びインクジェットヘッド４０Ｋは、媒体搬送方向に沿って、媒体搬送方向の上流側からインクジェットヘッド４０Ｃ、インクジェットヘッド４０Ｍ、インクジェットヘッド４０Ｙ、及びインクジェットヘッド４０Ｋの順に配置される。
【００７５】
インクジェットヘッド４０Ｃは、布帛２４に対してシアンインクを吐出させる吐出素子が具備されている。インクジェットヘッド４０Ｍは、布帛２４に対してマゼンタインクを吐出させる吐出素子が具備されている。
【００７６】
インクジェットヘッド４０Ｙは、布帛２４に対してイエローインクを吐出させる吐出素子が具備されている。インクジェットヘッド４０Ｋは、布帛２４に対してブラックインクを吐出させる吐出素子が具備されている。
【００７７】
インクジェットヘッド４０Ｃ、インクジェットヘッド４０Ｍ、インクジェットヘッド４０Ｙ、及びインクジェットヘッド４０Ｋは、媒体幅方向について、布帛２４の全長に対応する長さに渡って、複数の吐出素子が配置されたライン型ヘッドである。インクジェットヘッド４０Ｃ、インクジェットヘッド４０Ｍ、インクジェットヘッド４０Ｙ、及びインクジェットヘッド４０Ｋは、同様の構成が適用可能である。
【００７８】
以下、インクジェットヘッド４０Ｃ、インクジェットヘッド４０Ｍ、インクジェットヘッド４０Ｙ、及びインクジェットヘッド４０Ｋを区別する必要がない場合は、インクジェットヘッド４０と記載する場合がある。インクは画像形成液体の一態様である。
【００７９】
後処理部１８は、図示されないインク乾燥装置が備えられている。後処理部１８は、画像形成部１６が用いられて画像が形成された布帛２４に対してインクの乾燥処置を施す。
【００８０】
後処理部１８は、図示されない蒸気付与装置が備えられている。後処理部１８は、画像形成部１６が用いられて画像が形成された布帛２４に対して、蒸気付与装置を用いて蒸気を付与する。画像が形成された布帛２４に対して蒸気が付与されることに起因して、インクに含まれる色材を布帛２４に定着させる。
【００８１】
蒸気として、加熱空気、常圧飽和蒸気、又は過熱蒸気が適用可能である。常圧飽和蒸気が用いられる態様が好ましい。蒸気の温度範囲は、９０℃以上、１４０℃以下の範囲が好ましい。蒸気の温度範囲は、１００℃以上、１０８℃以下の範囲がより好ましい。
【００８２】
蒸気の付与期間は、１分以上、６０分以下の期間が好ましい。蒸気の付与期間は、１分以上、３０分以下の期間がより好ましい。
【００８３】
後処理部１８は、図示されない洗浄装置が備えられている。後処理部１８は、画像形成部１６が用いられて画像が形成され、蒸気が付与された布帛２４に対して、洗浄装置を用いて水洗い処理を施す。
【００８４】
水は、ソーピング剤が含有されてもよい。未固着の色材が除去されることに起因して、洗濯堅牢性、又は耐汗堅牢性など種々の耐水性において良好な結果が得られる。
【００８５】
蒸気が付与された後の布帛２４に対して水洗い処理が施されることに起因して、布帛２４に固着しない色材が除去される。水の温度範囲は、常温から１００℃までの範囲が適用可能である。ここでいう常温は、５℃以上、３５℃以下の任意の温度が適用されてもよい。例えば、常温として２０℃が適用可能である。
【００８６】
後処理部１８は、図示されない乾燥装置が備えられている。後処理部１８は、画像形成部１６が用いられて画像が形成され、蒸気が付与され、水洗い処理が施された布帛２４に対して、乾燥装置を用いて乾燥処理を施す。乾燥処理の例として、脱水処理、加熱処理、又は送風処理が挙げられる。
【００８７】
後処理部１８は、乾燥処理部の一態様である。後処理部１８の位置は、画像形成部を基準とする媒体の相対搬送方向の下流側の位置に相当する。乾燥処理が施されることに起因して、布帛への画像の定着が促進される。
【００８８】
本実施形態では、布帛２４に対してテンションが付与された状態において、画像形成部１６が用いられて画像が形成された布帛２４に対して後処理が施される態様が示されている。後処理部１８が用いられる後処理は、布帛２４に対してテンションが非付与の状態において行われてもよい。かかる態様では、図１に示された後処理部１８は、図１に示された位置に配置されない。後述される第二実施形態についても同様である。
【００８９】
処理液は高分子化合物であり、布帛２４との密着性が相対的に高く、水洗い処理に起因して除去される処理液は極めて少ないと考えられる。また、水洗い処理に起因して布帛２４に固定されていないインクは布帛２４から除去される。しかし、布帛２４に固定されているインクに対する布帛２４に固定されていないインクの割合は極めて小さいと考えられる。
【００９０】
水洗い処理に起因して布帛２４から除去されるインクの量が考慮されて導出された布帛２４の弾性係数と、水洗い処理に起因して布帛２４から除去されるインクの量が考慮されずに導出された布帛２４の弾性係数との差は、無視できる程度であると考えられる。
【００９１】
すなわち、水洗い処理に起因して布帛２４から除去されるインクの量について、布帛２４の弾性係数の修正がされなくてもよいと考えられる。
【００９２】
巻取ロール２０は、芯４４を回転軸として回転可能に支持される。巻取ロール２０に布帛２４が巻き付け可能に構成される。巻取ロール２０は画像が形成され、乾燥処理が施された布帛２４を芯４４に巻き付けることで、布帛２４を収容する。
【００９３】
布帛２４は、テンションローラ３４を通過すると、テンションローラ３４が用いられて付与されたテンションが除去される。布帛２４は、テンションローラ３４が用いられて付与されたテンションが除去された状態で巻取ロール２０に収容される。
【００９４】
なお、図１に示されたインクジェット記録装置１０は、適宜、構成の変更、構成の追加、又は構成の削除が可能である。
【００９５】
＜制御系の概略構成＞
図２は図１に示された画像形成装置の制御系の概略構成が示されるブロック図である。図２に示されたインクジェット記録装置１０は、システム制御部５０が備えられている。
【００９６】
システム制御部５０は、ＣＰＵ、ＲＯＭ、及びＲＡＭが具備される構成が適用可能である。なお、ＣＰＵはCentral Processing Unitの省略語である。ＲＯＭはRead Only Memoryの省略語である。ＲＡＭはRandom Access Memoryの省略語である。なお、ＣＰＵ、ＲＯＭ、及びＲＡＭの図示は省略される。
【００９７】
システム制御部５０は、インクジェット記録装置１０の各部を統括的に制御する全体制御部として機能する。また、システム制御部５０は、各種演算処理を行う演算部として機能する。
【００９８】
更に、システム制御部５０は、インクジェット記録装置１０に具備される記憶装置へのデータの書き込み、及び記憶装置からのデータの読み出しを制御するメモリーコントローラとして機能する。
【００９９】
図２に示されたインクジェット記録装置１０は、通信部５２が備えられている。通信部５２は、図示されない通信インターフェースが備えられている。通信部５２は通信インターフェースと接続されたホストコンピュータ５４との間でデータの送受信を行うことができる。
【０１００】
図２に示されたインクジェット記録装置１０は、搬送制御部５６が備えられている。搬送制御部５６は、システム制御部５０から送出される指令信号に基づいて、搬送部１４の動作を制御する。搬送制御部５６は、図１に示された布帛２４の搬送開始、布帛２４の搬送停止、及び布帛２４の搬送速度を制御する。
【０１０１】
図２に示された搬送制御部５６は、布帛２４の搬送条件、及び図１に示された画像形成部１６の画像形成条件に基づいてニップローラ対３２のニップ圧力を制御する。
【０１０２】
テンション付与制御部５８は、システム制御部５０から送出される指令信号に基づいて、テンションローラ３４が用いられる布帛２４へのテンション付与を制御する。テンションローラ３４、及びテンション付与制御部５８は、張力付与部の一態様である。
【０１０３】
図２に示されたインクジェット記録装置１０は、画像データ取得部６０、画像メモリ６２、及び画像処理部６４が備えられている。画像データ取得部６０は、通信部５２を介してホストコンピュータ５４から取り込まれた画像データを取得する。画像データの一例としてシリアル形式のラスタデータが挙げられる。
【０１０４】
画像メモリ６２は、画像データを含む各種データの一時記憶部として機能する。画像メモリ６２は、システム制御部５０を通じてデータの読み書きが行われる。通信部５２を介してホストコンピュータ５４から取り込まれ、画像データ取得部６０を介して取得された画像データは、一旦画像メモリ６２に格納される。
【０１０５】
画像処理部６４は、画像データ取得部６０を介して取得された画像データに対して、色分解処理、色変換処理、補正処理、及びハーフトーン処理を施してドットデータを生成する。
【０１０６】
すなわち、画像処理部６４は、色分解処理部、色変換処理部、補正処理部、及びハーフトーン処理部が備えられている。なお、色分解処理部、色変換処理部、補正処理部、及びハーフトーン処理部の図示は省略される。
【０１０７】
色分解処理部では、入力画像データに対して色分解処理が施される。例えば、入力画像データがＲＧＢで表されている場合、入力画像データがＲ、Ｇ、及びＢの色ごとのデータに分解される。ここで、Ｒは赤を表す。Ｇは緑を表す。Ｂは青を表す。
【０１０８】
色変換処理部では、Ｒ、Ｇ、及びＢに分解された色ごとの画像データを、インク色に対応するＣ、Ｍ、Ｙ、Ｋに変換される。ここで、Ｃはシアンを表す。Ｍはマゼンタを表す。Ｙはイエローを表す。Ｋはブラックを表す。なお、ブラックを表すＫは大文字である。
【０１０９】
補正処理部では、Ｃ、Ｍ、Ｙ、及びＫに変換された色ごとの画像データに対して補正処理が施される。補正処理の例として、ガンマ補正処理、濃度むら補正処理、又は異常記録素子補正処理などが挙げられる。
【０１１０】
ハーフトーン処理部では、例えば、０から２５５までの多階調数で表された画像データが、二値、又は入力画像データの階調数未満の三値以上の多値で表されるドットデータに変換される。
【０１１１】
ハーフトーン処理部では、予め決められたハーフトーン処理規則が適用される。ハーフトーン処理規則の例として、ディザ法、又は誤差拡散法などが挙げられる。ハーフトーン処理規則は、画像記録条件、又は画像データの内容等に応じて変更されてもよい。
【０１１２】
図２に示されたインクジェット記録装置１０は、画像変換部６６が備えられている。画像変換部６６は、画像データ取得部６０が用いられて取得された画像データに対して、テンションが付与されて伸ばされた状態の布帛２４に対応する伸長画像を表す伸長画像データを生成する。そして伸長画像に対して画素が割りつけられた変換後画像を表す変換後画像データを生成する。
【０１１３】
なお、画像変換部６６が用いられる変換処理の詳細は後述される。伸長画像は変形画像の一態様である。伸長画像データは変形画像データの一態様である。
【０１１４】
画像形成液体の付与量の情報である画像形成液体付与量情報を取得する画像形成液体付与量情報取得部は、画像変換部６６の構成要素である。媒体の弾性係数を取得する弾性係数取得部は、画像変換部６６の構成要素である。張力が付与された状態と張力が非付与の状態との媒体の変形量を算出する媒体変形量算出部は、画像変換部６６の構成要素である。
【０１１５】
テーブル記憶部６８は、各種処理に適用されるデータテーブルが記憶される。データテーブルの一例として、画像変換部６６における画像変換処理に適用されるインク量と布帛２４のヤング率との関係が規定されたデータテーブルが挙げられる。テーブル記憶部６８はヤング率記憶部の一態様である。
【０１１６】
図２に示されたインクジェット記録装置１０は、テンション検出部７０が備えられている。テンション検出部７０は、テンションローラ３４が用いられて布帛２４に付与されたテンションを検出する。
【０１１７】
テンション検出部７０の検出結果は、システム制御部５０を介して画像変換部６６へ送られる。画像変換部６６は、システム制御部５０を介してテンション検出部７０から送出された布帛２４に付与されているテンションの情報を用いて変換処理を行う。テンション検出部７０は、張力情報取得部の一態様である。テンション検出部７０は、張力検出部の一態様である。
【０１１８】
図２に示されたインクジェット記録装置１０は、ヘッド制御部７２、及び後処理制御部７４を備えている。ヘッド制御部７２は、画像処理部６４が用いられて処理された画像データに基づいてインクジェットヘッド４０の動作を制御する。ヘッド制御部７２は、画像形成制御部の一態様である。ヘッド制御部７２は、変換後画像データの画素に対応する布帛２４の位置に、インクジェットヘッド４０を用いてドットを形成する。
【０１１９】
後処理制御部７４は、システム制御部５０から送出される指令に基づいて、後処理部１８の動作を制御する。後処理制御部７４は、後処理部１８の動作開始タイミング、後処理部１８の動作停止タイミング、及び後処理部１８における処理温度を制御する。
【０１２０】
図２に示されたインクジェット記録装置１０は、操作部７６、及び表示部７８が備えられている。操作部７６は、マウス、又はキーボード等の入力デバイスが適用可能である。表示部７８は、液晶モニタ等の表示装置が適用可能である。
【０１２１】
図２に示されたインクジェット記録装置１０は、パラメータ記憶部８０、及びプログラム格納部８２が備えられている。
【０１２２】
パラメータ記憶部８０は、インクジェット記録装置１０に使用される各種パラメータが記憶される。パラメータ記憶部８０に記憶されている各種パラメータは、システム制御部５０を介して読み出され、装置各部に設定される。
【０１２３】
プログラム格納部８２は、インクジェット記録装置１０の各部に使用されるプログラムが格納される。プログラム格納部８２に格納されている各種プログラムは、システム制御部５０を介して読み出され、装置各部において実行される。
【０１２４】
なお、図２には機能ごとに各部が列挙されている。図２に示された各部は適宜、統合、分離、兼用、又は省略が可能である。また、図２に示された各部は少なくとも一つのプロセッサーを含むハードウエアと、プロセッサーを動作させるソフトウエアとを適宜組み合わせて構成することができる。
【０１２５】
少なくとも一つのプロセッサー、及びプロセッサーを動作させるソフトウエアが参照するメモリが備えられていてもよい。図２に示された各部は少なくとも一つのプロセッサーを含むハードウエア、及びプロセッサーを動作させるソフトウエアの組み合わせに代わり、電気回路が適用されてもよい。
【０１２６】
＜画像形成装置の作用＞
図１、及び図２に示されたインクジェット記録装置１０の作用は以下のとおりである。図１に示された供給側ロール１２から引き出された布帛２４は、テンションローラ３４が用いられて、媒体搬送方向の上流側から下流側へ向かう方向のテンションが付与される。
【０１２７】
すなわち、布帛２４は、媒体搬送方向と平行となる方向について伸ばされた状態で搬送される。テンションローラ３４が用いられてテンションが付与された布帛２４は、搬送ローラ３０、ニップローラ対３２を介して画像形成部１６へ搬送される。
【０１２８】
画像形成部１６では、布帛２４に対して画像データに基づき画像が形成される。画像形成部１６が用いられて画像が形成された布帛２４は、後処理部１８へ搬送される。後処理部１８では、画像形成部１６が用いられて画像が形成された布帛２４に対して乾燥処理などの後処理が施される。
【０１２９】
後処理部１８が用いられて後処理が施された布帛２４は、テンションローラ３４を介して巻取ロール２０へ収容される。
【０１３０】
［画像変換処理の詳細な説明］
＜画像変換処理の概要＞
図３は図１に示された画像形成装置に適用される画像変換処理の模式図である。図３に示された画像１００は、テンションＦが付与された布帛２４に形成された画像であり、布帛２４に実際に形成される画像である。テンションＦは媒体に付与される張力に相当する。
【０１３１】
図３に示された画像１０２は、テンションＦが除かれた除荷状態の布帛２４における画像であり、期待される画像であり、所望の画像である。画像１０２は、布帛２４の収縮に起因して、布帛２４に形成された画像１００が収縮した画像である。
【０１３２】
符号ＬＡは、テンションＦが除かれた除荷状態の布帛２４に形成された画像の用紙搬送方向における全長である。符号ＬＢは、テンションＦが付与された布帛２４に形成された画像の用紙搬送方向における全長である。なお、図３における用紙搬送方向は、テンションＦの方向と平行となる方向である。以下、図４から図６、及び図９から図１１についても同様である。
【０１３３】
すなわち、本実施形態に示される画像形成における画像変換処理は、媒体である布帛２４の伸長量が算出され、布帛２４の伸長量に対応して、布帛２４が伸長する方向について、画像データを伸長させる処理が含まれる。
【０１３４】
なお、布帛２４にテンションＦが付与されると、テンションＦの方向と直交する方向について布帛２４が収縮することがあり得る。しかし、布帛２４のテンションＦの方向と直交する方向の収縮量は、テンションＦの方向と平行となる方向の伸長量と比べて十分に小さいと考えられる。そこで、布帛２４にテンションＦが付与された際に、布帛２４はテンションＦの方向と直交する方向に収縮しないものとされる。
【０１３５】
図３に示された画像１００は、ドットハッチの違いが用いられて領域単位のインク量の違いが表されている。画像１００における第一領域１００Ａ、第二領域１００Ｂ、第三領域１００Ｃ、第五領域１００Ｅ、及び第七領域１００Ｇは、同一のインク量が付与される領域である。第四領域１００Ｄ、及び第八領域１００Ｈは、同一のインク量が付与される領域である。第六領域１００Ｆは、付与されるインク量が他の領域と異なる領域である。
【０１３６】
例えば、第一領域１００Ａは第四領域１００Ｄのインク量を超えるインク量が付与される。第四領域１００Ｄは第六領域１００Ｆのインク量を超えるインク量が付与される。画像１０２についても、各領域に付与されるインク量、及び他の領域に付与されるインク量との関係は、画像１００と同一である。
【０１３７】
すなわち、画像１０２における第一領域１０２Ａ、第二領域１０２Ｂ、第三領域１０２Ｃ、第五領域１０２Ｅ、及び第七領域１０２Ｇは、同一のインク量が付与される領域である。第四領域１０２Ｄ、及び第八領域１０２Ｈは、同一のインク量が付与される領域である。第六領域１０２Ｆは、付与されるインク量が他の領域と異なる領域である。
【０１３８】
例えば、第一領域１０２Ａは、第四領域１０２Ｄのインク量を超えるインク量が付与される。第四領域１０２Ｄは、第六領域１０２Ｆのインク量を超えるインク量が付与される。
【０１３９】
図４は従来技術に係る画像形成装置において形成された画像が模式的に示された説明図である。図４に示された画像１１０は、テンションＦが付与された布帛２４に形成された画像であり、布帛２４の伸長量に対応する画像変換処理が施されていない画像データが用いられて、布帛２４に形成された画像である。図４に示された画像１１２は、画像１１０が形成された布帛２４のテンションＦが除かれた除荷状態の画像であり、布帛２４の収縮量に対応する収縮が生じた画像である。
【０１４０】
図４に示された画像１１０、及び画像１１２は、複数の種類のドットハッチが用いられて各領域のインク量が表されている点は、図３に示された画像１００、及び画像１０２と同様である。なお、図４では、画像１１０、及び画像１１２を構成する各領域の符号の図示は省略される。
【０１４１】
図４に示された画像１１２の用紙搬送方向における全長ＬＣは、図３に示されたテンションＦが除かれた除荷状態の布帛２４に形成された画像１０２の用紙搬送方向における全長ＬＡ未満である。
【０１４２】
以下に詳細が説明される画像変換処理は、図３に示されたテンションＦが除かれた除荷状態の布帛２４に形成された画像１０２を得る際の、画像データに施される処理である。
【０１４３】
＜布帛の弾性変形の説明＞
図５は布帛の弾性変形の説明図である。図５に示された変換前画像１２０は、テンションＦが除かれた除荷状態の布帛２４における画像である。図５に示された変換前画像１２０は、期待される画像であり、所望の画像である。期待される画像とは、布帛２４の弾性変形に起因する変形が実質的に生じていない画像である。
【０１４４】
画像データの上に設定される座標系であるモニタ座標系における各画素の一辺の長さは、画像形成後の布帛２４の上に設定される媒体座標系では、１０マイクロメートルである。なお、マイクロは１０−６を表している。
【０１４５】
変換前画像１２０は、第一画素１２２、第二画素１２４、第三画素１２６、及び第四画素１２８の四画素から構成される。図５に示された変換前画像１２０は、図３に示された画像１０２に相当する。
【０１４６】
第一画素１２２、及び第四画素１２８について、シアンの色情報がＣＬ、マゼンタの色情報がＭＬ、イエローの色情報がＹＬ、及びブラックの色情報がＫＬと表される場合、第一画素１２２、及び第四画素１２８に付与される第一インク量ＶＬは、ＶＬ＝ＣＬ＋ＭＬ＋ＹＬ＋ＫＬと表される。なお、ブラックの色情報を表すＫは大文字である。
【０１４７】
第一画素１２２の第一インク量ＶＬは第一画素１２２に付与される四色分の最大インク量を１とした場合の比率で表される。また、第四画素１２８の第一インク量ＶＬは第四画素１２８に付与される四色分の最大インク量を１とした場合の比率で表される。
【０１４８】
ここで、第一画素１２２のシアンの色情報を表すＣＬは、第一画素１２２に付与可能なシアンインク量の最大値を１とした場合の、第一画素１２２に付与すべきシアンインク量の比率である。第一画素１２２に付与すべきシアンインク量を第一画素１２２に付与可能なシアンインク量の最大値を用いて除算し、除算結果の値に１００を乗算して算出される。ＣＬ、ＭＬ、ＹＬ、及びＫＬの単位はパーセントである。
【０１４９】
第一画素１２２のマゼンタの色情報を表すＭＬ、第一画素１２２のイエローの色情報を表すＹＬ、及び第一画素１２２のブラックの色情報を表すＫＬも同様である。また、第四画素１２８についても同様である。
【０１５０】
第二画素１２４、及び第三画素１２６について、シアンの色情報がＣＨ、マゼンタの色情報がＭＨ、イエローの色情報がＹＨ、及びブラックの色情報がＫＨと表される場合、第二画素１２４、及び第三画素に付与される第二インク量ＶＨは、ＶＨ＝ＣＨ＋ＭＨ＋ＹＨ＋ＫＨと表される。
【０１５１】
第二画素１２４、及び第三画素１２６におけるシアンの色情報ＣＨ、マゼンタの色情報ＭＨ、イエローの色情報ＹＨ、及びブラックの色情報ＫＨは、先に説明がされた第一画素１２２のシアンの色情報を表すＣＬと同様である。ここでの説明は省略される。
【０１５２】
第二画素１２４の第二インク量ＶＨは第二画素１２４に付与される四色分の最大インク量を１とした場合の比率で表される。また、第三画素１２６の第二インク量ＶＨは第三画素１２６に付与される四色分の最大インク量を１とした場合の比率で表される。第一インク量ＶＬと第二インク量ＶＨとは、ＶＬ＜ＶＨの関係を有している。
【０１５３】
すなわち、第一画素１２２、及び第四画素１２８は、第二画素１２４、及び第三画素１２６と比較して低濃度の画素である。
【０１５４】
図５に示された符号ｋ１は、第一画素１２２、及び第四画素１２８の弾性係数である。また、符号ｋ２は、第二画素１２４、及び第三画素１２６の弾性係数である。なお、弾性係数を表すｋは小文字である。
【０１５５】
図５に示された伸長画像１３０は、テンションＦが付与された布帛２４に対して、実際に形成される画像である。伸長画像１３０はテンションＦが付与された方向であり、媒体搬送方向について変換前画像１２０が伸ばされた画像である。伸長画素は画像データを構成する最小単位である画素を変形させた変形画素の一態様である。
【０１５６】
伸長画像１３０は、第一伸長画素１３２、第二伸長画素１３４、第三伸長画素１３６、及び第四伸長画素１３８の四つの伸長画素から構成される。伸長画素とは、変換前画像１２０を構成する画素が、テンションＦが付与された方向であり、媒体搬送方向について伸ばされた画素である。
【０１５７】
第一伸長画素１３２、第二伸長画素１３４、第三伸長画素１３６、及び第四伸長画素１３８は、それぞれ、第一画素１２２、第二画素１２４、第三画素１２６、及び第四画素１２８が、テンションＦが付与された方向であり、媒体搬送方向について伸ばされた画素である。
【０１５８】
本実施形態に示されるインクジェット記録装置１０の画像形成に適用される画像変換処理では、各画素に付与されるインク量に応じた弾性係数が導出される。そして、導出された弾性係数が用いられて、変換前画像１２０から伸長画像１３０への変換処理が行われる。
【０１５９】
変換前画像１２０から伸長画像１３０への変換は、変形ベクトル｛Ｕ｝が用いられる。なお、変形ベクトル｛Ｕ｝は、図５に示された変形ベクトル｛ＵＡ｝、変形ベクトル｛ＵＢ｝、及び変形ベクトル｛ＵＣ｝の総称である。なお、本明細書では、中括弧が用いられてベクトルが表される。
【０１６０】
変形ベクトル｛ＵＡ｝の大きさ｜ＵＡ｜は、第一画素１２２の弾性係数ｋ１、及び布帛２４に付与されるテンションＦの大きさ｜Ｆ｜が用いられて、｜ＵＡ｜＝ｋ１／｜Ｆ｜と表される。なお、変形ベクトル｛ＵＡ｝の大きさ｜ＵＡ｜は、第一画素１２２の伸長量である。
【０１６１】
変形ベクトル｛ＵＢ｝の大きさ｜ＵＢ｜は、第二画素１２４の弾性係数ｋ２、及び布帛２４に付与されるテンションＦの大きさ｜Ｆ｜が用いられて、｜ＵＢ｜＝ｋ２／｜Ｆ｜と表される。
【０１６２】
なお、変形ベクトル｛ＵＢ｝の大きさ｜ＵＢ｜は、第二画素１２４の伸長量、及び第三画素１２６の伸長量の総和である。図５に示された第二画素１２４、及び第三画素１２６は、同一の弾性係数ｋ２を有しているので、第二画素１２４、及び第三画素１２６は、一画素として取り扱われている。
【０１６３】
変形ベクトル｛ＵＣ｝の大きさ｜ＵＣ｜は、第四画素１２８の弾性係数ｋ１、及び布帛２４に付与されるテンションＦの大きさ｜Ｆ｜が用いられて、｜ＵＣ｜＝ｋ１／｜Ｆ｜と表される。
【０１６４】
なお、変形ベクトル｛ＵＣ｝の大きさ｜ＵＣ｜は、第一画素１２２の伸長量、第二画素１２４の伸長量、第三画素１２６、及び第四画素１２８の伸長量の総和である。
【０１６５】
本実施形態では、変形ベクトルの正方向は布帛２４の伸長方向とされる。布帛２４の伸長方向は布帛２４に付与されるテンションＦの方向と同一の方向である。また、変形ベクトルの負方向は布帛２４の収縮方向とされる。布帛２４の収縮方向は布帛２４に付与されるテンションＦの方向と反対の方向である。
【０１６６】
テンションＦの方向は、媒体搬送方向と同一の方向である。変形ベクトルの正方向は媒体搬送方向と同一の方向である。また、変形ベクトルの負方向は媒体搬送方向と反対の方向である。
【０１６７】
＜計算節点の設定＞
図６は計算節点の説明図である。各画素の弾性係数ｋが導出されると、変換前画像１２０について計算節点が設定される。図６に示された第一計算節点ｐ１から第八計算節点ｐ８は、布帛２４の上に設定された座標系である媒体座標系における座標値が用いられて表される。
【０１６８】
図６に示された変換前画像１２０は、第一画素１２２の四つの頂角部に対して第一計算節点ｐ１（０，０）、第二計算節点ｐ２（Ｄ，０）、第五計算節点ｐ５（０，Ｄ）、及び第六計算節点ｐ６（Ｄ，Ｄ）が設定される。
【０１６９】
ここで、Ｄは変換前画像１２０における各画素の一辺の長さである。また、Ｄは伸長画像１３０における各画素の短辺の長さである。伸長画像１３０における各画素の短辺は、各画素の伸長方向、又は収縮方向と直交する方向と平行となる方向における、各画素の辺である。
【０１７０】
また、第三画素１２６の二つの頂角部に対して第三計算節点ｐ３（３×Ｄ，０）、及び第七計算節点ｐ７（３×Ｄ，Ｄ）が設定される。更に、第四画素１２８の二つの頂角部に対して第四計算節点ｐ４（４×Ｄ，０）、及び第八計算節点ｐ８（４×Ｄ，Ｄ）が設定される。
【０１７１】
ここで、第二画素１２４、及び第三画素１２６は付与されるインク量が同一であり、弾性係数は同一である。第二画素１２４、及び第三画素１２６は隣接している。そうすると、第二画素１２４、及び第三画素１２６は、一画素として取り扱われることが可能である。
【０１７２】
このようにして、複数の画素を一画素として取り扱われることに起因して、演算の対象が減らされる。そうすると、演算の回数を減らすことが可能である。複数の画素が演算上の一画素として取り扱われる条件は、複数の画素の弾性係数が同一であり、且つ、複数の画素が隣接して配置されることが挙げられる。
【０１７３】
弾性係数が同一の条件は、弾性係数が予め決められた範囲とされてもよい。例えば、インク量の全範囲が二以上に区分される場合、区分ごとのインク量の範囲の画素は一画素として取り扱われてもよい。以下、画素の用語は、複数の画素が計算上の一画素として取り扱われる場合の画素が含まれることとされる。
【０１７４】
図６には、各画素について四つの計算節点が設定される態様が例示されているが、各画素の計算節点は一つ以上であればよい。例えば、各画素が有する四つの頂角のうち任意の一つ以上の頂角に対して計算節点が節点されてもよい。
【０１７５】
また、各画素の計算節点は、各画素の頂角に限定されない。布帛２４の上の座標値である媒体座標系における座標値、及び画像データの上の座標値であるモニタ座標系における座標値が設定可能であればよい。例えば、各画素の中心位置などの各画素の代表位置に計算節点が設定されてもよい。
【０１７６】
＜弾性係数の導出＞
図７はヤング率テーブルの説明図である。図７に示されたグラフはインク量とヤング率との関係が表されている。図７に示されたグラフの横軸はインク量である。インク量の単位はピコリットルである。ピコは１０−１２を表している。図７に示されたｐｌは、インク量の単位であるピコリットルを表している。
【０１７７】
図７に示されたグラフの縦軸はヤング率である。ヤング率の単位はニュートン毎平方メートルである。図７に示されたＮ／ｍ２は、ヤング率の単位であるニュートン毎平方メートルを表している。
【０１７８】
図７に示されたＶＬは、図５、及び図６に示された第一画素１２２、及び第四画素１２８のそれぞれに付与されるインク量である。図７に示されたＥＬは、インク量がＶＬの場合の布帛２４のヤング率である。
【０１７９】
図７に示されたＶＨは、図５、及び図６に示された第二画素１２４、第三画素１２６のそれぞれに付与されるインク量である。図７に示されたＥＨは、インク量がＶＨの場合の布帛２４のヤング率である。画素ごとのインク量は、画像データが用いられて導出可能である。
【０１８０】
図５に示された布帛２４の弾性係数は、図７に示されたヤング率テーブルが用いられて導出された布帛２４のヤング率が用いられて算出される。図７に示されたヤング率テーブルは、布帛２４の種類ごと、及びインクの種類ごとに、予め実験、又はシミュレーション等が用いられて導出される。
【０１８１】
図２に示されたテーブル記憶部６８は、布帛２４の種類ごと、及びインクの種類ごとのヤング率テーブルが記憶されてもよい。画像変換部６６は、布帛２４の種類の情報が含まれる布帛情報、及びインクの種類の情報が含まれるインク情報を取得し、布帛２４の種類、及びインクの種類に基づいて、テーブル記憶部６８に記憶されているヤング率テーブルを読み出す。
【０１８２】
布帛情報、及びインク情報は、パラメータ記憶部８０から読み出されてもよいし、操作部７６が用いられて入力されてもよい。画像変換部６６は、読み出されたヤング率テーブルを参照して、画素ごとのインク量をパラメータとして、画素ごとのヤング率を導出する。
【０１８３】
布帛２４は、縦糸の種類と横糸の種類とが異なる場合は、布帛２４の縦糸と平行となる方向のヤング率と、横糸と平行となる方向のヤング率が相違することがありうる。
【０１８４】
換言すると、布帛２４の縦糸と平行となる方向にテンションＦが付与される場合と、布帛２４の横糸と平行となる方向にテンションＦが付与される場合とでは、布帛２４の伸長量が相違することがありうる。
【０１８５】
そこで、布帛２４の姿勢として、布帛２４に付与されるテンションＦの方向と布帛２４の縦糸の方向とが平行であるか、又は布帛２４に付与されるテンションＦの方向と布帛２４の横糸の方向とが平行であるかが判断される。
【０１８６】
そして、布帛２４の姿勢の情報に基づいて、テンションＦの方向と平行となる方向の糸の種類が判断される。図２に示されたテーブル記憶部６８には、布帛２４に使用される糸の種類ごとヤング率テーブルが記憶される。
【０１８７】
画像変換部６６は、糸の種類に対応するヤング率テーブルを参照して、布帛２４の姿勢に応じたヤング率テーブルを選択し、画素ごとのヤング率を導出する。ここでいう縦糸、及び横糸は布帛２４を構成する二種類の糸である。布帛２４を構成する二種類の糸のうち、任意の一方向に沿う方向の糸が縦糸であり、縦糸と交差する方向に沿う糸が横糸である。
【０１８８】
画素ごとに導出されたヤング率Ｅ、画素ごとの布帛２４の断面積Ａ、及び画素ごとの自然長Ｌが用いられて、画素ごとの弾性係数ｋが算出される。画素ごとの弾性係数ｋは、ｋ＝Ａ×Ｅ／Ｌと表される。
【０１８９】
上記の式における画素ごとの弾性係数ｋは、図５に示された弾性係数ｋ１、及び弾性係数ｋ２の総称である。ヤング率Ｅは、画素ごとのヤング率の総称である。布帛２４の断面積は画素ごとの断面積の総称である。画素の自然長Ｌは、図５に示されたテンションＦが除かれた除荷状態おける、媒体搬送方向の画素の全長である。
【０１９０】
以下、画素ごとの弾性係数ｋ、画素ごとのヤング率Ｅ、画素ごとの布帛２４断面積Ａ、及び各画素の自然長Ｌは、画素の番号を表す数字、又はアルファベットが付されることがある。
【０１９１】
上記の式における画素ごとの弾性係数ｋの単位はニュートン毎メートルである。ヤング率Ｅの単位はニュートン毎平方メートルである。布帛２４の断面積Ａの単位は平方メートルである。各画素の自然長Ｌの単位はメートルである。
【０１９２】
図８はインクが付与された状態の布帛の断面図である。図８に示された布帛２４は、媒体幅方向と平行となる方向に沿う断面線に基づく断面図である。上記の式における布帛２４の断面積Ａには、図８に示された布帛２４自体のインクが付与された部分２４Ａの断面積、及び布帛２４に付与されたインク１５０の断面積が含まれている。
【０１９３】
＜テンション検出の説明＞
図９はテンション検出部の構成例が示された説明図である。図１０はテンション検出の説明図である。図１０はテンションローラ３４の長手方向における一方の端が図示されている。なお、テンションローラ３４の長手方向は、媒体幅方向と平行となる方向である。また、図９、及び図１０に示された矢印線は布帛２４の搬送方向である。
【０１９４】
図９に示されテンション検出部７０は、テンション検出センサ７０Ａ、信号増幅装置７０Ｂが備えられている。テンション検出センサ７０Ａは、テンションローラ３４の長手方向における両端のそれぞれに取り付けられている。テンション検出センサ７０Ａにはストレインゲージが適用可能である。
【０１９５】
信号増幅装置７０Ｂは、テンション検出センサ７０Ａから出力された検出信号を増幅する。信号増幅装置７０Ｂの出力信号は、図２に示されたシステム制御部５０へ送出される。テンション検出センサ７０Ａとしてストレインゲージが適用される態様では、信号増幅装置７０Ｂは、ストレインゲージから出力された電流信号を電圧信号へ変換し、かつ、電流信号から変換された電圧信号を、図２に示されたシステム制御部５０の入力回路に応じた電圧に変換する。
【０１９６】
図１０に示される搬送中の布帛２４に付与されるテンションＦが、直接検出されることは困難である。実際には、テンションローラ３４のベアリング３４Ａに係る負荷ＦＡが測定される。なお、図１０に示された負荷ＦＡは、図示の都合上、位置がずらされている。
【０１９７】
また、布帛２４に付与されるテンションＦは、布帛２４の幅方向について不均一に付与される場合がありうる。そこで、布帛２４の幅方向の両端におけるテンションが検出されることで、布帛２４に付与されるテンションが布帛２４の幅方向について不均一となる場合でも、布帛２４に付与されるテンションの検出が可能である。
【０１９８】
なお、図９、及び図１０が用いられて説明がされた布帛２４に付与されるテンション検出は一例である。例えば、布帛２４の搬送状態が安定している場合は、二つのテンション検出センサ７０Ａの一方の省略が可能である。また、テンション検出センサ７０Ａとして、ストレインゲージ以外のセンサを適用してもよい。
【０１９９】
＜伸長量の算出の説明＞
画素ごとの弾性係数が算出され、且つ、布帛２４に付与されるテンションＦが算出されると、画素ごとの伸長量δｎが算出される。なお、ｎは画素ごとの識別番号であり、１以上の整数である。ｎ番目の画素の伸長量δｎは、式（１）が用いられて表される。
【０２００】
Ｆｎ＝ｋｎ×δｎ  …（１）
式（１）におけるＦｎはｎ番目の画素に付与されるテンションの大きさである。全ての画素には同じ大きさのテンションが付与されるので、Ｆｎ＝Ｆとなる。式（１）におけるｋｎはｎ番目の画素の弾性係数である。
【０２０１】
式（１）は、ｎ番目の画素の伸長量δｎを表す式（２）に変形される。
【０２０２】
δｎ＝Ｆ×Ｌｎ／Ａｎ×Ｅｎ  …（２）
上記式（２）が用いられて、図５に示された第一画素１２２の伸長量δ１が求められる。布帛２４に付与されるテンションＦが１０ニュートン、第一画素１２２の自然長Ｌ１が１０マイクロメートル、第一画素１２２の断面積Ａ１が５．２×１０−９平方メートル、第一画素１２２のヤング率Ｅｎが５．０×１０９ニュートン毎メートルの場合、第一画素１２２の伸長量δ１は、δ１＝３．８マイクロメートルである。
【０２０３】
第四画素１２８の伸長量δ４は第一画素１２２の伸長量δ１と同じ値である。
【０２０４】
また、上記式（２）が用いられて、図５に示された第二画素１２４と第三画素１２６との合成画素の伸長量δ２＋３が求められる。
【０２０５】
第二画素１２４、及び第三画素１２６の合成画素の断面積Ａ２＋３が５．４×１０−９平方メートル、第一画素１２２のヤング率Ｅｎが５．０×１０９ニュートン毎メートルの場合、第二画素１２４と第三画素１２６との合成画素の伸長量δ２＋３は、δ２＋３＝２．５マイクロメートルである。
【０２０６】
＜変形ベクトルの算出の説明＞
図１１は変形ベクトルの算出の模式図である。図１１に示された変換前画像１２０、及び伸長画像１３０は、図５、及び図６に示された変換前画像１２０、及び伸長画像１３０と同一の画像である。また、図１１に示された媒体座標系における第一計算節点ｐ１から第八計算節点ｐ８は、図６に示された媒体座標系における第一計算節点ｐ１から第八計算節点ｐ８と同一の計算節点である。
【０２０７】
図１１に示された伸長画像１３０における第一計算節点ｑ１から第八計算節点ｑ８は、変換前画像１２０に設定されている第一計算節点ｐ１から第八計算節点ｐ８のそれぞれに対応している。
【０２０８】
伸長画像１３０における第一計算節点ｑ１の座標値は、変換前画像１２０における第一計算節点ｐ１の座標値に対して、変形ベクトル｛Ｕ１｝が加算されて算出される。同様に、伸長画像１３０における第五計算節点ｑ５の座標値は、変換前画像１２０における第五計算節点ｐ５の座標値に対して、変形ベクトル｛Ｕ５｝が加算されて算出される。
【０２０９】
変形ベクトル｛Ｕ１｝、及び変形ベクトル｛Ｕ５｝は、式（３）が用いられて表される。なお、変形ベクトル｛Ｕ１｝、及び変形ベクトル｛Ｕ５｝の図示は省略される。
【０２１０】
｛Ｕ１｝＝｛Ｕ５｝＝（０，０）  …（３）
図１１に示された伸長画像１３０における第二計算節点ｑ２の座標値は、変換前画像１２０における第二計算節点ｐ２の座標値に対して、変形ベクトル｛Ｕ２｝が加算されて算出される。同様に、伸長画像１３０における第六計算節点ｑ６の座標値は、変換前画像１２０における第六計算節点ｐ６の座標値に対して、変形ベクトル｛Ｕ６｝が加算されて算出される。
【０２１１】
なお、変形ベクトル｛Ｕ２｝、及び変形ベクトル｛Ｕ６｝は、図５に示された変形ベクトル｛ＵＡ｝に対応している。
【０２１２】
変形ベクトル｛Ｕ２｝、及び変形ベクトル｛Ｕ６｝は、式（４）が用いられて表される。
【０２１３】
｛Ｕ２｝＝｛Ｕ６｝＝（δ１，０）  …（４）
伸長画像１３０における第三計算節点ｑ３の座標値は、変換前画像１２０における第三計算節点ｐ３の座標値に対して、変形ベクトル｛Ｕ３｝が加算されて算出される。同様に、伸長画像１３０における第七計算節点ｑ７の座標値は、変換前画像１２０における第七計算節点ｐ７の座標値に対して、変形ベクトル｛Ｕ７｝が加算されて算出される。
【０２１４】
変形ベクトル｛Ｕ３｝、及び変形ベクトル｛Ｕ７｝は、式（５）が用いられて表される。なお、変形ベクトル｛Ｕ３｝、及び変形ベクトル｛Ｕ７｝は、図５に示された変形ベクトル｛ＵＡ｝と、変形ベクトル｛ＵＢ｝とを加算したベクトルに対応している。
【０２１５】
｛Ｕ３｝＝｛Ｕ７｝＝（δ１＋δ２＋３，０）  …（５）
伸長画像１３０における第四計算節点ｑ４の座標値は、変換前画像１２０における第四計算節点ｐ４の座標値に対して、変形ベクトル｛Ｕ４｝が加算されて算出される。同様に、伸長画像１３０における第八計算節点ｑ８の座標値は、変換前画像１２０における第八計算節点ｐ８の座標値に対して、変形ベクトル｛Ｕ８｝が加算されて算出される。
【０２１６】
変形ベクトル｛Ｕ４｝、及び変形ベクトル｛Ｕ８｝は、式（６）が用いられて表される。なお、変形ベクトル｛Ｕ４｝、及び変形ベクトル｛Ｕ８｝は、図５に示された変形ベクトル｛ＵＡ｝と、変形ベクトル｛ＵＢ｝と、変形ベクトル｛ＵＣ｝とを加算したベクトルに対応している。
【０２１７】
｛Ｕ４｝＝｛Ｕ８｝＝（２×δ１＋δ２＋３，０）  …（６）
第一画素１２２の伸長量δ１がδ１＝３．８マイクロメートルであり、第二画素１２４と第三画素１２６との合成画素の伸長量δ２＋３がδ２＋３＝２．５マイクロメートルの場合、変形ベクトル｛Ｕ２｝、及び変形ベクトル｛Ｕ６｝は、｛Ｕ２｝＝｛Ｕ６｝＝（３．８，０）と表される。同様に、変形ベクトル｛Ｕ３｝、及び変形ベクトル｛Ｕ７｝は、｛Ｕ３｝＝｛Ｕ７｝＝（６．２，０）と表される。
【０２１８】
変形ベクトル｛Ｕ４｝、及び変形ベクトル｛Ｕ８｝は、式（７）が用いられて表される。
【０２１９】
｛Ｕ４｝＝｛Ｕ８｝＝（１０．０，０）  …（７）
なお、各座標ベクトルの成分を表す数値の単位はマイクロメートルである。
【０２２０】
図１１に示された変換前画像１２０から伸長画像１３０への変換では、図１１に示された各計算節点において、式（８）が用いられて表されるベクトル演算が行われる。
【０２２１】
｛Ｑｎ｝＝｛Ｐｎ｝＋｛Ｕｎ｝  …（８）
ここで、｛Ｐｎ｝は、媒体座標系における任意の原点からｎ番目の計算節点ｐｎに向かうベクトルである。また、｛Ｑｎ｝は、媒体座標系に設定されている原点からｎ番目の計算節点ｑｎに向かうベクトルである。
【０２２２】
第一画素１２２の伸長量δ１がδ１＝３．８マイクロメートルであり、第二画素１２４と第三画素１２６との合成画素の伸長量δ２＋３がδ２＋３＝２．５マイクロメートルの場合、モニタ座標系における各計算節点ｑｎを表すベクトル｛Ｑｎ｝は以下の式（９）から式（１６）が用いられて表される。なお、ベクトル｛Ｑｎ｝の成分を表す数値の単位はマイクロメートルである。
【０２２３】
｛Ｑ １｝＝｛Ｐ １｝＋｛Ｕ １｝＝（０，０）  …（９） 
｛Ｑ ２｝＝｛Ｐ ２｝＋｛Ｕ ２｝＝（１３．８，０）  …（１０） 
｛Ｑ ３｝＝｛Ｐ ３｝＋｛Ｕ ３｝＝（３６．３，０）  …（１１） 
｛Ｑ ４｝＝｛Ｐ ４｝＋｛Ｕ ４｝＝（５０．１，０）  …（１２） 
｛Ｑ ５｝＝｛Ｐ ５｝＋｛Ｕ ５｝＝（０，１０．０）  …（１３） 
｛Ｑ ６｝＝｛Ｐ ６｝＋｛Ｕ ６｝＝（１３．８，１０．０）  …（１４） 
｛Ｑ ７｝＝｛Ｐ ７｝＋｛Ｕ ７｝＝（３６．３，１０．０）  …（１５） 
｛Ｑ ８｝＝｛Ｐ ８｝＋｛Ｕ ８｝＝（５０．１，１０．０）  …（１６） 
このようにして算出された媒体座標系の各計算節点ｑ ｎの座標値は、モニタ座標系の座標値へ変換され、変換後画像を表す変換後画像データが生成される。
【０２２４】
＜変換後画像の画素の説明＞ 
図１２は変換後画像における画素の説明図である。図１２は伸長画像１３０を構成する各伸長画素と、変換後画像１４０を構成する各画素との対応付けが模式的に図示されている。
【０２２５】
図１２に示された変換後画像１４０は、第一画素１４２、第二画素１４４、第三画素１４６、第四画素１４８、及び第五画素１４９の五画素から構成される。変換後画像１４０を構成する各画素は、伸長画像１３０を構成する各伸長画素と一対一の対応をしていない。
【０２２６】
例えば、変換後画像１４０の第二画素１４４の色情報には、伸長画像１３０の第一伸長画素１３２の色情報、及び第二伸長画素１３４の色情報が含まれる。
【０２２７】
変換後画像１４０の各画素の色情報に、伸長画像１３０の複数の伸長画素の色情報が含まれる場合は、変換後画像１４０の各画素の色情報として、伸長画像１３０の複数の伸長画素の色情報の加重平均値が適用可能である。複数の伸長画素の色情報の加重平均値は、変形画素の複数の画素分の色情報が平均化された色情報の一態様である。
【０２２８】
変換後画像１４０の第二画素１４４において、伸長画像１３０の第一伸長画素１３２の面積比率が３８パーセントであり、第二伸長画素１３４の面積比率が６２パーセントの場合、変換後画像１４０の第二画素１４４の色情報は、式（１７）が用いられて表される。
【０２２９】
０．３８×（ＣＬ，ＭＬ，ＹＬ，ＫＬ）＋０．６２×（ＣＨ，ＭＨ，ＹＨ，ＫＨ）＝（０．３８×ＣＬ＋０．６２×ＣＨ，０．３８×ＭＬ＋０．６２×ＭＨ，０．３８×ＹＬ＋０．６２×ＹＨ，０．３８×ＫＬ＋０．６２×ＫＨ）  …（１７）
式（１７）におけるＣＬ、ＭＬ、ＹＬ、及びＫＬは、伸長画像１３０の第一伸長画素１３２の色情報である。ＣＨ、ＭＨ、ＹＨ、及びＫＨは、伸長画像１３０の第二伸長画素１３４の色情報である。
【０２３０】
同様に、変換後画像１４０の第四画素１４８において、伸長画像１３０の第三伸長画素１３６の面積比率が６２パーセントであり、第四伸長画素１３８の面積比率が３８パーセントの場合、変換後画像１４０の第四画素１４８の色情報は、式（１８）が用いられて表される。
【０２３１】
０．３８×（ＣＨ，ＭＨ，ＹＨ，ＫＨ）＋０．６２×（ＣＬ，ＭＬ，ＹＬ，ＫＬ）＝（０．３８×ＣＨ＋０．６２×ＣＬ，０．３８×ＭＨ＋０．６２×ＭＬ，０．３８×ＹＨ＋０．６２×ＹＬ，０．３８×ＫＨ＋０．６２×ＫＬ）  …（１８）
式（１８）におけるＣＨ、ＭＨ、ＹＨ、及びＫＨは、伸長画像１３０の第三伸長画素１３６の色情報である。ＣＬ、ＭＬ、ＹＬ、及びＫＬは、伸長画像１３０の第二伸長画素１３４の色情報である。
【０２３２】
なお、変換後画像１４０の第一画素１４２の色情報は、伸長画像１３０の第一伸長画素１３２の色情報が適用される。変換後画像１４０の第三画素１４６の色情報は、伸長画像１３０の第二伸長画素１３４、及び第三伸長画素の色情報が適用される。変換後画像１４０の第五画素１４９の色情報は、伸長画像１３０の第四伸長画素１３８の色情報が適用される。
【０２３３】
変換後画像１４０の各画素の色情報が、伸長画像１３０の複数の伸長画素の色情報が含まれる場合、変換後画像１４０の各画素において、伸長画像１３０の複数の伸長画素の面積比率が大きい伸長画素の色情報が、変換後画像１４０の各画素の色情報とされてもよい。
【０２３４】
このようにして、元の画像データにおける色情報が維持された変換後画像の生成が可能である。
【０２３５】
＜変形例の説明＞
図１３は画像変換処理の変形例の説明図である。変換後画像１６０は、伸長画像１３０の各伸長画素が割り付けられる際に第五画素１７０が端数となっている。端数となる画素が発生した場合は、端数となった第五画素１７０は削除され、変換後画像１６０は第一画素１６２、第二画素１６４、第三画素１６６、及び第四画素１６８の四画素から構成される。
【０２３６】
第四画素１６８と布帛２４の先端２４Ｂとの間に余白が発生してしまうものの、媒体搬送方向における余白の長さは、媒体搬送方向における一画素未満の長さであり、余白として視認されにくい。
【０２３７】
また、変換後画像１６０の第四画素１６８は、伸長画像１３０の第三伸長画素１３６の色情報、及び第四伸長画素１３８の色情報が考慮されるので、第五画素１７０の欠落は視認されにくい。
【０２３８】
このようにして、元の画像データにおける画素の情報が維持された変換後画像の生成が可能である。
【０２３９】
＜画像形成方法の手順の説明＞
図１４は第一実施形態に係る画像形成方法の流れが示されたフローチャートである。画像形成が開始されると、布帛情報取得工程Ｓ１０において、図１に示された布帛２４の種類の情報が含まれる布帛情報が取得される。
【０２４０】
布帛情報取得工程Ｓ１０において布帛情報が取得された後に、インク情報取得工程Ｓ１２に進む。インク情報取得工程Ｓ１２ではインクの種類が含まれるインク情報が取得される。インク情報取得工程Ｓ１２においてインク情報が取得された後に、画像データ取得工程Ｓ１４へ進む。
【０２４１】
画像データ取得工程Ｓ１４では画像データが取得される。画像データ取得工程Ｓ１４において画像データが取得された後に、インク量情報取得工程Ｓ１６へ進む。インク量情報取得工程Ｓ１６では、画像データが用いられて、画素ごとのインク量の情報が取得される。インク量情報取得工程Ｓ１６は、画像形成液体付与量情報取得工程の一態様である。
【０２４２】
インク量情報取得工程Ｓ１６において画素ごとのインク量の情報が取得された後に、テンション情報取得工程Ｓ１８へ進む。テンション情報取得工程Ｓ１８では、図２に示されたテンション検出部７０が用いられて検出された布帛２４に付与されているテンションの情報が取得される。テンション情報取得工程Ｓ１８は、張力情報取得工程の一態様である。
【０２４３】
テンション情報取得工程Ｓ１８において取得される布帛２４に付与されるテンションは、図１１に示された伸長画像１３０が布帛２４に形成された状態において検出されることが好ましい。
【０２４４】
しかし、テンション情報取得工程Ｓ１８が実行される際に、伸長画像１３０を表す画像データが生成されていないので、伸長画像１３０が形成された布帛２４に付与されるテンションの検出は困難である。
【０２４５】
そこで、伸長画像１３０が非形成の布帛２４に付与されるテンションと、伸長画像１３０が形成された布帛２４に付与されるテンションとは実質的に同一であるとして、伸長画像１３０が形成された布帛２４に付与されるテンションに代わり、伸長画像１３０が非形成の布帛２４に付与されるテンションが検出される。
【０２４６】
なお、伸長画像１３０が非形成の布帛２４に付与されるテンションに対して、予め実験、又はシミュレーション等が用いられて導出された補正係数に基づき、伸長画像１３０が非形成の布帛２４に付与されるテンションが補正されてもよい。
【０２４７】
テンション検出における補正係数は、布帛２４の種類ごと、及びインクの種類ごとに導出されることが好ましい。
【０２４８】
テンション情報取得工程Ｓ１８において布帛２４に付与されているテンションの情報が取得された後に、ヤング率テーブル選択工程Ｓ２０へ進む。ヤング率テーブル選択工程Ｓ２０では、布帛情報取得工程Ｓ１０において取得された布帛情報、及びインク情報取得工程Ｓ１２において取得されたインク情報が用いられてヤング率テーブルが選択される。
【０２４９】
ヤング率テーブル選択工程Ｓ２０においてヤング率テーブルが選択された後に、弾性係数算出工程Ｓ２２へ進む。弾性係数算出工程Ｓ２２では、選択されたヤング率テーブルが参照され、インク量情報取得工程Ｓ１６において取得された画素ごとのインク量の情報が用いられて、画素ごとのヤング率が導出される。
【０２５０】
導出された画素ごとのヤング率、及びインク量情報取得工程Ｓ１６において取得された画素ごとのインク量の情報が用いられて、画素ごとの弾性係数が算出される。弾性係数算出工程Ｓ２２において画素ごとの弾性係数が算出された後に、伸長量算出工程Ｓ２４へ進む。弾性係数算出工程Ｓ２２は、弾性係数取得工程の一態様である。
【０２５１】
伸長量算出工程Ｓ２４では、テンション情報取得工程Ｓ１８において取得された布帛２４に付与されるテンション、及び弾性係数算出工程Ｓ２２において算出された画素ごとの弾性係数が用いられて、画素ごとの伸長量が算出される。
【０２５２】
伸長量算出工程Ｓ２４において画素ごとの伸長量が算出された後に、画像変換工程Ｓ２６へ進む。画像変換工程Ｓ２６では、図１１に示された変換前画像１２０を表す画像データが、伸長画像１３０を表す画像データへ変換される。伸長量算出工程Ｓ２４は媒体変形量算出工程の一態様である。
【０２５３】
更に、図１４に示された画像変換工程Ｓ２６では、図１１に示された伸長画像１３０を表す画像データが、図１２に示された変換後画像１４０を表す画像データに変換される。図１４に示された画像変換工程Ｓ２６では、図１３に示された変換後画像１６０を表す画像データが生成されてもよい。
【０２５４】
図１４に示された画像変換工程Ｓ２６において、図１２に示された変換後画像１４０を表す画像データ、又は図１３に示された変換後画像１６０を表す画像データが形成された後に、図１４に示された画像形成工程Ｓ２８へ進む。
【０２５５】
画像形成工程Ｓ２８では、画像変換工程Ｓ２６において生成された、図１２に示された変換後画像１４０を表す画像データ、又は図１３に示された変換後画像１６０を表す画像データに基づいて、図１に示されたインクジェットヘッド４０Ｃ、インクジェットヘッド４０Ｍ、インクジェットヘッド４０Ｙ、及びインクジェットヘッド４０Ｋが用いられて、布帛２４に対して画像が形成される。図１４に示された画像形成工程Ｓ２８では、変換後画像データの画素に対応する布帛２４の位置に、図１に示されたインクジェットヘッド４０Ｃ、インクジェットヘッド４０Ｍ、インクジェットヘッド４０Ｙ、及びインクジェットヘッド４０Ｋを用いてドットを形成する。
【０２５６】
図１４に示された画像変換工程Ｓ２６において画像が形成された後に、画像形成方法は終了される。
【０２５７】
［弾性係数算出の変形例］
本実施形態では、画素ごとに弾性係数が算出されているが、弾性係数が算出される単位は、画素ごとに限定されない。画像が、複数のばね要素が用いられて構成される有限要素モデルと見立てられ、有限要素計算等が用いられて、複雑なモデルに対応することが可能である。
【０２５８】
図１５は有限要素計算の説明図である。図３に示された画像１０２、及び図５等に示された変換前画像１２０が、図１５に示された連続体２００に置き替えられる。連続体２００は形状近似がされ、複数の有限要素２０２の集合体２００Ａに置き替えられる。
【０２５９】
各有限要素２０２は特性近似がされ、簡単なばね要素２０４に置き替えられる。複数の有限要素２０２の集合体２００Ａは、複数のばね要素２０４の集合体２００Ｂに置き替えられる。複数のばね要素２０４の集合体２００Ｂが計算モデルとされる。
【０２６０】
各計算節点に付与されるテンションベクトルが｛Ｆ｝、計算モデル全体の剛性マトリクスが［Ｋ］、各計算節点の変形ベクトルが｛Ｕ｝の場合、各計算節点に付与されるテンションベクトル｛Ｆ｝は、式（１９）が用いられて表される。
【０２６１】
｛Ｆ｝＝［Ｋ］×｛Ｕ｝  …（１９）
上記式（１９）は、式（１）に対応している。式（１）では、各計算節点に付与されるテンションベクトル｛Ｆ｝は、全ての画素について、布帛２４に付与されるテンションＦとされている。
【０２６２】
上記式（１９）は、｛Ｕ｝を表す式（２０）に変形可能である。
【０２６３】
｛Ｕ｝＝［Ｋ］−１×｛Ｆ｝  …（２０）
式（２０）が用いられて導出された各計算節点の変形ベクトル｛Ｕ｝、及びテンションが除かれた除荷状態の各計算節点｛Ｐ｝が用いられて、テンションが付与された状態の計算節点｛Ｑ｝は、式（２１）が用いられて表される。
【０２６４】
｛Ｑ｝＝｛Ｐ｝＋｛Ｕ｝  …（２１）
式（２１）は、式（８）に対応している。
【０２６５】
すなわち、図６では、画素ごとに計算節点が設定される態様が例示されたが、画像が複数の部分領域であり、少なくとも一画素が含まれる部分領域に分割され、部分領域ごとに計算節点が設定され、各計算節点について、上記の式（２１）が適用されてもよい。
【０２６６】
部分領域は、インク量に基づいて決められてもよい。部分領域はヤング率に基づいて決められてもよい。
【０２６７】
［インクジェットヘッドの構造例の説明］
図１６はインクジェットヘッドの構造例が示された透視平面図である。図１６に示されたインクジェットヘッド４０は、媒体幅方向について、布帛２４の全長以上の長さに渡って複数の吐出素子が配置される構造を有するフルライン型ヘッドである。
【０２６８】
図１６において、媒体幅方向は符号Ｘが用いられて図示される。また、媒体搬送方向は符号Ｙが用いられて図示される。符号Ｌｍａｘは布帛２４の媒体幅方向における全長である。
【０２６９】
図１６に示されたインクジェットヘッド４０は、媒体幅方向について、複数のヘッドモジュール４０Ａが繋ぎ合わせられた構造を有している。符号４０Ｂは、各吐出素子に具備される吐出口が形成される吐出口形成面を表している。
【０２７０】
なお、フルライン型ヘッドに代わり、シリアル型ヘッドが適用されてもよい。シリアル型ヘッドは、複数の吐出素子が媒体搬送方向に沿って配置される構造を有している。また、シリアル型ヘッドは、媒体幅方向に沿って走査させるキャリッジに搭載される。
【０２７１】
シリアル型ヘッドは、媒体幅方向に沿って走査させ、媒体搬送方向における記録素子が配置される長さ分の領域に対して画像形成が形成される。一回の画像形成が終わると、布帛２４は媒体搬送方向に一定量搬送され、次の領域に対して画像が形成される。
【０２７２】
この動作が繰り返されることで、布帛２４の画像が形成される領域の全域に対して画像が形成される。なお、シリアル型ヘッドの図示は省略される。
【０２７３】
吐出素子は、吐出口、流路、及び圧力発生素子が具備される。圧力発生素子は圧電素子が適用可能である。圧力発生素子はヒータが適用可能である。すなわち、インクジェットヘッド４０は、吐出方式として、圧電方式が適用されてもよいし、サーマル方式が適用されてもよい。インクジェットヘッド４０の吐出方式は、静電方式など、様々な方式が適用されてもよい。
【０２７４】
［第一実施形態の作用効果］
上記の如く構成されたインクジェット記録装置１０、及び画像形成方法によれば、布帛２４の変形に応じた画像データの変換において、布帛２４に付与されるインク量に応じて画素ごとの弾性係数が算出され、画素ごとの弾性係数が用いられて画素ごとに伸長量が算出されることに起因して、インク量の違いに起因する画素ごとに伸長量が考慮された画像が形成される。
【０２７５】
画素ごと、又は部分領域ごとに弾性係数の算出、及び変形量の算出が行われることに起因して、画像に局所的な変形が生じている場合、又は画像全体として非線形の変形が生じている場合でも、画像の変形に対応した変換後画像の生成が可能である。
【０２７６】
本実施形態では、同一のインク量を有する複数の画素であり、隣接する複数の画素が一画素として取り扱われる態様が例示されているが、同一のヤング率を有する複数の画素が一画素として取り扱われてもよい。
【０２７７】
［第二実施形態］
次に、第二実施形態に係る画像形成装置、及び画像形成方法について説明がされる。第二実施形態の説明では、主として第一実施形態との違いについて説明がされる。第二実施形態において、第一実施形態と同一の構成の説明は、適宜省略される。
【０２７８】
＜画像形成装置の全体構成＞
図１７は第二実施形態に係る画像形成装置の全体構成図である。図１７に示されたインクジェット記録装置１０Ａは、図１に示されたインクジェット記録装置１０に対して、図１７に示された前処理部１５が追加されている。前処理部１５は処理液ヘッド４０Ｓが備えられている。
【０２７９】
処理液ヘッド４０Ｓは、インクジェット方式が用いられて、布帛２４の画像形成面に対して処理液を付与する。処理液ヘッド４０Ｓは、画像形成部１６に具備されるインクジェットヘッド４０Ｃ、インクジェットヘッド４０Ｍ、インクジェットヘッド４０Ｙ、及びインクジェットヘッド４０Ｋと同様の構造が適用可能である。
【０２８０】
前処理部１５は、処理液ヘッド４０Ｓに代わり、処理液塗布装置が具備されてもよい。処理液塗布装置の塗布方式は、塗布ローラが具備されるローラ塗布方式、又は噴射ノズルが具備されるスプレー方式などが適用可能である。処理液ヘッド４０Ｓは処理液付与部の一態様である。
【０２８１】
処理液は、インクに含まれる色材を凝集、又は不溶化させる機能を有している。処理液が付与された領域に画像が形成されることに起因して、布帛２４に付与されたインクの滲みが抑制される。処理液は画像形成液体の一態様である。
【０２８２】
インクジェット方式が用いられる布帛２４への画像形成では、従来の捺染方法に使用される色糊が使用されると、インクジェットヘッドにノズル詰まりが起きる傾向がある。そこで、予め布帛２４に対して処理液が付与される。なお、処理液は糊溶液と呼ばれることがある。
【０２８３】
処理液は、糊剤、溶媒、及びヒドロトロピー剤を含有する。糊剤は、スクリーン捺染などの他の捺染において用いられる糊剤と同様の糊剤が適用可能である。溶媒は、水溶性溶媒が好ましい。水を少なくとも含む溶媒が最も好ましい。
【０２８４】
ヒドロトロピー剤は、一般に、インクが付与された布帛２４が蒸気下で加熱される際に、画像の発色濃度を高める役割を果たす。ヒドロトロピー剤の例として、尿素、アルキル尿素、エチレン尿素、プロピレン尿素、チオ尿素、グアニジン酸塩、及びハロゲン化テトラアルキルアンモニウムなどが挙げられる。
【０２８５】
また、公知のヒドロトロピー剤が使用可能である。処理液の全固形分に対するヒドロトロピー剤の含有量は、０．０１質量パーセント以上、２０質量パーセント以下の範囲が好ましい。
【０２８６】
処理液は、必要に応じて、水性金属塩、又は水溶性金属塩、若しくはｐＨ調整剤、撥水剤、界面活性剤、マイグレーション防止剤、ミクロポーラス形成剤などが更に含有されてもよい。
【０２８７】
処理液の付与にパッド法が適用される場合、絞り率が５パーセント以上、１５０パーセント以下の範囲で処理液がパッティングされる態様が好ましい。絞り率が１０パーセント以上、１３０パーセント以下の範囲で処理液がパッティングされる態様がより好ましい。処理液は、画像形成液に含まれていてもよい。
【０２８８】
図１７に図示されない処理液乾燥処理部は、媒体搬送方向における前処理部１５の下流側の位置であり、画像形成部１６の上流側の位置に配置される。処理液乾燥処理部は、布帛２４に付与された処理液に乾燥処理を施す。乾燥処理の一例として、加熱装置が用いられる加熱処理、及び送風装置が用いられる送風処理が挙げられる。
【０２８９】
＜制御系の概略構成＞
図１８は図１７に示された画像形成装置の制御系の概略構成が示されるブロック図である。図１８に示されたインクジェット記録装置１０Ａの制御系は、図２に示されたインクジェット記録装置１０の制御系に対して、図１８に示された処理液付与制御部８４、及び処理液乾燥制御部８６が備えられている。
【０２９０】
処理液付与制御部８４は、画像データ取得部６０を介して取得された画像データに基づいて、前処理部１５の動作を制御する。処理液付与制御部８４は、前処理部１５の動作開始タイミング、前処理部１５の動作停止タイミング、及び処理液の付与量を制御する。なお、前処理部１５は処理液ヘッド４０Ｓと読み替えてもよい。
【０２９１】
処理液乾燥制御部８６は、システム制御部５０から送出される指令に基づいて、処理液乾燥処理部１５Ｂの動作を制御する。処理液乾燥制御部８６は、処理液乾燥処理部１５Ｂの動作開始タイミング、処理液乾燥処理部１５Ｂの動作停止タイミング、及び処理液乾燥処理部１５Ｂにおける処理温度を制御する。
【０２９２】
＜画像形成装置の作用＞
図１７、及び図１８に示されたインクジェット記録装置１０Ａは、図１、及び図２に示されたインクジェット記録装置１０と同様の作用効果が得られる。また、図１７、及び図１８に示されたインクジェット記録装置１０Ａは、画像形成部１６が用いられて画像が形成される前に、布帛２４の画像が形成される領域について処理液が付与される。
【０２９３】
布帛２４に付与された処理液は、処理液乾燥処理部１５Ｂが用いられて乾燥させる。すなわち、画像形成前の布帛２４は、画像が形成される領域について処理液層が形成される。
【０２９４】
画像が形成される領域に処理液層が形成された布帛２４は、画像形成部１６が用いられて画像が形成される。処理液が付与された領域に画像が形成されることに起因して、画像の滲みが抑制される。
【０２９５】
［画像変換処理の詳細な説明］ 
＜画像変換処理の概要＞ 
図１７、及び図１８に示されたインクジェット記録装置１０Ａに適用される画像変換処理は、ヤング率テーブルの選択、及びヤング率の導出が、図１、及び図２に示されたインクジェット記録装置１０と相違する。以下に、ヤング率テーブルの選択、及びヤング率の導出について詳細に説明がされる。
【０２９６】
＜ヤング率テーブルの選択の説明＞
各画素のヤング率は、使用される処理液の種類、及び各画素の処理液量に応じて相違する。ヤング率テーブルは、布帛２４の種類、インクの種類、及び処理液の種類ごとに作成される。
【０２９７】
ヤング率テーブルが選択される際は、布帛２４の種類、インクの種類、及び処理液の種類が用いられる。処理液の種類が含まれる処理液情報は、パラメータ記憶部８０から読み出されてもよいし、操作部７６が用いられて入力されてもよい。
【０２９８】
＜ヤング率テーブルの一例＞
図１９は第二実施形態に係る画像形成装置に適用されるヤング率テーブルの一例の説明図である。図１９に示されたヤング率テーブルを表すグラフは、処理液量を表す処理液量軸、インク量を表すインク量軸、及びヤング率軸を有する三次元グラフである。
【０２９９】
インク量の単位、及び処理液量の単位はピコリットルである。図１９に示されたｐｌは、インク量の単位、及び処理液量の単位であるピコリットルを表している。ヤング率の単位はニュートン毎平方メートルである。図１９に示されたＮ／ｍ２は、ヤング率の単位であるニュートン毎平方メートルを表している。
【０３００】
画像データが用いられて、画素ごとの処理液量、及び画素ごとのインク量が導出されると、図１９に示されたヤング率テーブルが用いられて、画素ごとのヤング率が導出される。
【０３０１】
図２０は第二実施形態に係る画像形成装置に適用されるヤング率テーブルの他の例の説明図である。図２０に示されたヤング率テーブルは、図１９に示されたヤング率テーブルと、処理液の種類、及びインクの種類が相違している。
【０３０２】
図１９、及び図２０に示されたヤング率テーブルは、処理液の種類ごと、及びインクの種類ごとに作成され、処理液の種類、及びインクの種類に関連付けされて、図１８に示されたテーブル記憶部６８に記憶される。
【０３０３】
＜画像形成方法の手順の説明＞
図２１は第二実施形態に係る画像形成方法の流れが示されたフローチャートである。図２１に示されたフローチャートは、図１４に示されたフローチャートに対して、図２１に示された処理液情報取得工程Ｓ１１、処理液量情報取得工程Ｓ１５が追加されている。処理液量情報取得工程Ｓ１５は、画像形成液体付与量情報取得工程の一態様である。
【０３０４】
また、図２１に示されたフローチャートは、図１４に示されたヤング率テーブル選択工程Ｓ２０に代わり、布帛の種類、処理液の種類、及びインクの種類が用いられてヤング率テーブルが選択されるヤング率テーブル選択工程Ｓ２１が含まれている。
【０３０５】
更に、図２１に示されたフローチャートは、図１４に示された弾性係数算出工程Ｓ２２に代わり、画素ごとの処理液量の情報、及び画素ごとのインク量の情報が用いられて画素ごとの弾性係数が算出される弾性係数算出工程Ｓ２３が含まれている。弾性係数算出工程Ｓ２３は、弾性係数取得工程の一態様である。
【０３０６】
更にまた、画像形成工程Ｓ２９は、図１７に示された処理液ヘッド４０Ｓが用いられて、布帛２４に処理液が付与される処理液付与工程、及び、処理液付与工程の後に、処理液乾燥処理部１５Ｂが用いられて、処理液が付与された布帛２４に対して乾燥処理が施される処理液乾燥処理工程が含まれる。
【０３０７】
［第二実施形態の作用効果］
上記の如く構成されたインクジェット記録装置１０Ａ、及び画像形成装置によれば、第一実施形態と同様の作用効果を得ることが可能である。また、処理液が付与された布帛２４に対して画像が形成されることに起因して、画像の滲みが抑制される。
【０３０８】
［インクの一例の説明］
次に、インクジェット記録装置１０、及びインクジェット記録装置１０Ａに適用されるインクの一例について説明がされる。
【０３０９】
インクは、水性媒体に色材を溶解させて作製することが可能である。インクは水性媒体に色材を分散させて作製することが可能である。水性媒体に代わり親油性媒体が用いられてもよい。色材は、染料、又は顔料が適用可能である。
【０３１０】
フルカラー画像を形成する際に、マゼンタ、シアン、及びイエローの色相のインクを用いることができ、また、色相を整える目的で、更に、ブラックの色相のインクが用いられてもよい。
【０３１１】
更に、レッド、グリーン、オレンジ、グレー、ホワイト、金、又は透明などの色相のインクが用いられてもよい。適用可能な色材として、特開２０１４−５４６２号公報の段落〔０２３７〕から段落〔０２４０〕までに記載の色材が挙げられる。
【０３１２】
インク適性、捺染適性、画像堅牢性を付与する目的で、インクは、染料以外に、溶媒、界面活性剤が含有されてもよい。溶媒として水性媒体が適用可能である。好ましい溶媒として、水、又は水性有機溶媒が挙げられる。
【０３１３】
水性有機溶媒の例として、ジエチレングリコール、又はグリセリン等の多価アルコール類のほか、アミン類、一価アルコール類、若しくは多価アルコールのアルキルエーテル類等が挙げられる。また、水性有機溶媒は、特開２００２−３７１０７９号公報の段落〔００７６〕に記載の水混和性有機溶剤の例示として挙げられている各化合物が好適である。
【０３１４】
インクの有機溶媒の含有量は、インクの全質量に対して、１０質量パーセント以上、６０質量パーセント以下であることが好ましい。
【０３１５】
界面活性剤として、陽イオン性、陰イオン性、両性、又は非イオン性のうち、いずれかの界面活性剤が用いられてもよい。また、効果を害しない範囲内において必要に応じて、インクにその他の添加剤が含有されてもよい。
【０３１６】
インクの粘度は、３０ミリパスカル秒以下が好ましい。インクの表面張力は、２５ミリニュートン毎メートル以上、７０ニュートン毎メートル以下が好ましい。粘度、及び表面張力は、種々の添加剤、例えば、粘度調整剤、表面張力調整剤、比抵抗調整剤、皮膜調整剤、紫外線吸収剤、酸化防止剤、褪色防止剤、防黴剤、防錆剤、分散剤、及び界面活性剤のうち一つ、又は複数が添加されることによって調整可能である。
【０３１７】
以上説明がされた本発明の実施形態は、本発明の趣旨を逸脱しない範囲で、適宜構成要件を変更、追加、削除することが可能である。本発明は以上説明した実施形態に限定されるものではなく、本発明の技術的思想内で当該分野の通常の知識を有するものにより、多くの変形が可能である。
【符号の説明】
【０３１８】
１０、１０Ａ  インクジェット記録装置
１２  供給側ロール
１４  搬送部
１５  前処理部
１５Ｂ  処理液乾燥処理部
１６  画像形成部
１８  後処理部
２０  巻取ロール
２２、４４  芯
２４  布帛
２４Ａ  布帛２４自体のインクが付与された部分
２４Ｂ  布帛２４の先端
３０  搬送ローラ
３２  ニップローラ対
３４  テンションローラ
３４Ａ  ベアリング
４０、４０Ｃ、４０Ｍ、４０Ｙ、４０Ｋ  インクジェットヘッド
４０Ａ  ヘッドモジュール
４０Ｂ  吐出口形成面
４０Ｓ  処理液ヘッド
５０  システム制御部
５２  通信部
５４  ホストコンピュータ
５６  搬送制御部
５８  テンション付与制御部
６０  画像データ取得部
６２  画像メモリ
６４  画像処理部
６６  画像変換部
６８  テーブル記憶部
７０  テンション検出部
７０Ａ  テンション検出センサ
７０Ｂ  信号増幅装置
７２  ヘッド制御部
７４  後処理制御部
７６  操作部
７８  表示部
８０  パラメータ記憶部
８２  プログラム格納部
８４  処理液付与制御部
８６  処理液乾燥制御部
１００、１０２、１１０、１１２  画像
１００Ａ、１０２Ａ  第一領域
１００Ｂ、１０２Ｂ  第二領域
１００Ｃ、１０２Ｃ  第三領域
１００Ｄ、１０２Ｄ  第四領域
１００Ｅ、１０２Ｅ  第五領域
１００Ｆ、１０２Ｆ  第六領域
１００Ｇ、１０２Ｇ  第七領域
１００Ｈ、１０２Ｈ  第八領域
１２０  変換前画像
１２２、１４２、１６２  第一画素
１２４、１４４、１６４  第二画素
１２６、１４６、１６６  第三画素
１２８、１４８、１６８  第四画素
１３０  伸長画像
１３２  第一伸長画素
１３４  第二伸長画素
１３６  第三伸長画素
１３８  第四伸長画素
１４０  変換後画像
１４９、１７０  第五画素
１５０  インク
１６０  変換後画像
２００  連続体
２００Ａ、２００Ｂ  集合体
２０２  有限要素
２０４  ばね要素
｛Ｕ｝、｛Ｕ１｝、｛Ｕ２｝、｛Ｕ３｝、｛Ｕ４｝、｛Ｕ５｝、｛Ｕ６｝、｛Ｕ７｝、｛Ｕ８｝  変形ベクトル
ｋ、ｋ１、ｋ２  弾性係数
ｐ１、ｑ１  第一計算節点
ｐ２、ｑ２  第二計算節点
ｐ３、ｑ３  第三計算節点
ｐ４、ｑ４  第四計算節点
ｐ５、ｑ５  第五計算節点
ｐ６、ｑ６  第六計算節点
ｐ７、ｑ７  第七計算節点
ｐ８、ｑ８  第八計算節点
ｐｎ、ｑｎ、｛Ｐ｝、｛Ｑ｝  計算節点
Ｅ、Ｅｎ  ヤング率
Ｌ、Ｌ１  自然長
δｎ、δ１、δ２＋３、δ４  伸長量
Ｓ１０からＳ２９  画像形成装置の各工程
【図１】
0006653757.tif 000002
【図２】
0006653757.tif 000003
【図３】
0006653757.tif 000004
【図４】
0006653757.tif 000005
【図５】
0006653757.tif 000006
【図６】
0006653757.tif 000007
【図７】
0006653757.tif 000008
【図８】
0006653757.tif 000009
【図９】
0006653757.tif 000010
【図１０】
0006653757.tif 000011
【図１１】
0006653757.tif 000012
【図１２】
0006653757.tif 000013
【図１３】
0006653757.tif 000014
【図１４】
0006653757.tif 000015
【図１５】
0006653757.tif 000016
【図１６】
0006653757.tif 000017
【図１７】
0006653757.tif 000018
【図１８】
0006653757.tif 000019
【図１９】
0006653757.tif 000020
【図２０】
0006653757.tif 000021
【図２１】
0006653757.tif 000022